(57)【特許請求の範囲】
【請求項１】
ワイヤレスネットワークにおいて複数のコンポーネントキャリア上で通信するための方法であって、
１つまたは複数のセルによって構成された前記複数のコンポーネントキャリアのための構成情報を、ユーザ機器（ＵＥ）によって取得することと、
前記１つまたは複数のセルを用いて制御チャネルおよびデータチャネルの並列送信を実行するようにとのインジケーションを、前記ＵＥによって受信することと、
前記並列送信が、前記複数のコンポーネントキャリアのうちの少なくとも１つのコンポーネントキャリア上でサポートされないと、前記ＵＥによって、および、前記インジケーションを受信することに基づいて、決定すること、ここにおいて、前記少なくとも１つのコンポーネントキャリアは、前記１つまたは複数のセルのうちのプライマリセルに対応する、と、
前記並列送信を実行するようにとの前記インジケーションに少なくとも部分的に基づいて、および前記並列送信が、前記少なくとも１つのコンポーネントキャリア上でサポートされないと決定することに少なくとも部分的に基づいて、前記少なくとも１つのコンポーネントキャリア上で前記制御チャネルまたは前記データチャネルのうちの１つを、前記ＵＥによって送信することと
を備え、前記並列送信は、前記少なくとも１つのコンポーネントキャリア上でサポートされないと決定することは、不連続リソース割振りが、前記少なくとも１つのコンポーネントキャリア上でサポートされるかどうかを決定することを備える、方法。
【請求項２】
前記制御チャネルまたは前記データチャネルのうちの１つを送信することは、前記並列送信が、前記少なくとも１つのコンポーネントキャリア上でサポートされないと決定することに基づいて、前記データチャネルを送信することを備え、前記データチャネル上で制御データを送信することをさらに備える、
請求項１に記載の方法。
【請求項３】
前記データチャネルが、前記少なくとも１つのコンポーネントキャリア上で送信されるようにスケジュールされないと決定することと、
前記複数のコンポーネントキャリアからの第２のコンポーネントキャリア上で第２のデータチャネルを識別することと
をさらに備え、送信することは、前記少なくとも１つのコンポーネントキャリア上で前記制御チャネルを送信することを備え、前記第２のコンポーネントキャリア上で前記第２のデータチャネルを送信することをさらに備える、
請求項１に記載の方法。
【請求項４】
前記データチャネル上で前記制御データを送信することは、前記制御データの一部分を送信することを備える、
請求項２に記載の方法。
【請求項５】
前記構成情報は、デュアル接続性において第１のセルグループおよび第２のセルグループ上で前記複数のコンポーネントキャリアを構成することに関係し、前記少なくとも１つのコンポーネントキャリアは、前記第１のセルグループまたは前記第２のセルグループのうちの１つのためのプライマリコンポーネントキャリアとして構成される、
請求項１に記載の方法。
【請求項６】
前記構成情報は、キャリアアグリゲーションにおいて第１のセルを用いて前記複数のコンポーネントキャリアを構成することに関係し、前記少なくとも１つのコンポーネントキャリアは、プライマリコンポーネントキャリアとして構成される、
請求項１に記載の方法。
【請求項７】
前記構成情報は、キャリアアグリゲーションにおいて第１のセルグループおよび第２のセルグループ上で前記複数のコンポーネントキャリアを構成することに関係し、前記少なくとも１つのコンポーネントキャリアは、前記第１のセルグループまたは前記第２のセルグループのうちの１つのためのプライマリコンポーネントキャリアとして構成される、
請求項１に記載の方法。
【請求項８】
前記制御チャネルおよび前記データチャネルの前記並列送信が複数のコンポーネントキャリア上で前記ＵＥによってサポートされると、前記１つまたは複数のセルのうちの少なくとも１つのセルに示すことをさらに備える、
請求項１に記載の方法。
【請求項９】
前記制御チャネルおよび前記データチャネルの前記並列送信を実行するようにとの前記インジケーションを受信することは、前記制御チャネルおよび前記データチャネルの前記並列送信が複数のコンポーネントキャリア上で前記ＵＥによってサポートされると、前記少なくとも１つのセルに示すことに少なくとも部分的に基づく、
請求項８に記載の方法。
【請求項１０】
ワイヤレスネットワークにおいて複数のコンポーネントキャリア上で通信するためのユーザ機器であって、
トランシーバと、
前記ワイヤレスネットワークにおいて信号を通信するために、バスを介して前記トランシーバと通信可能に結合された少なくとも１つのプロセッサと、
前記バスを介して前記少なくとも１つのプロセッサおよび／または前記トランシーバと通信可能に結合されたメモリと
を備え、前記少なくとも１つのプロセッサおよび前記メモリは、
１つまたは複数のセルによって構成された前記複数のコンポーネントキャリアのための構成情報を取得することと、
前記１つまたは複数のセルを用いて制御チャネルおよびデータチャネルの並列送信を実行するようにとのインジケーションを受信することと、
前記並列送信が、前記複数のコンポーネントキャリアのうちの少なくとも１つのコンポーネントキャリア上でサポートされないと、前記インジケーションを受信することに基づいて、決定すること、ここにおいて、前記少なくとも１つのコンポーネントキャリアは、前記１つまたは複数のセルのうちのプライマリセルに対応する、と、
前記並列送信を実行するようにとの前記インジケーションに少なくとも部分的に基づいて、および前記並列送信が、前記少なくとも１つのコンポーネントキャリア上でサポートされないと決定することに少なくとも部分的に基づいて、前記少なくとも１つのコンポーネントキャリア上で前記制御チャネルまたは前記データチャネルのうちの１つを送信することと、
少なくとも部分的に、不連続リソース割振りが、前記少なくとも１つのコンポーネントキャリア上でサポートされるかどうかを決定することによって、前記並列送信が、前記少なくとも１つのコンポーネントキャリア上でサポートされないと決定することと
を行うように動作可能である、ユーザ機器。
【請求項１１】
前記少なくとも１つのプロセッサおよび前記メモリは、前記並列送信が、前記少なくとも１つのコンポーネントキャリア上でサポートされないと決定することに基づいて、前記データチャネルを送信するように動作可能であり、ここにおいて、前記少なくとも１つのプロセッサおよび前記メモリが、前記データチャネル上で制御データを送信するようにさらに動作可能である、
請求項１０に記載のユーザ機器。
【請求項１２】
前記少なくとも１つのプロセッサおよび前記メモリは、
前記データチャネルが、前記少なくとも１つのコンポーネントキャリア上で送信されるようにスケジュールされないと決定することと、
前記複数のコンポーネントキャリアからの第２のコンポーネントキャリア上で第２のデータチャネルを識別することと
を行うようにさらに動作可能であり、
前記少なくとも１つのプロセッサおよび前記メモリは、前記少なくとも１つのコンポーネントキャリア上で前記制御チャネルを送信するように動作可能であり、前記第２のコンポーネントキャリア上で前記第２のデータチャネルを送信するようにさらに動作可能である、
請求項１０に記載のユーザ機器。
【請求項１３】
前記データチャネル上で前記制御データを送信することは、前記制御データの一部分を送信することを備える、
請求項１１に記載のユーザ機器。
【請求項１４】
前記構成情報は、デュアル接続性において第１のセルグループおよび第２のセルグループ上で前記複数のコンポーネントキャリアを構成することに関係し、前記少なくとも１つのコンポーネントキャリアは、前記第１のセルグループまたは前記第２のセルグループのうちの１つのためのプライマリコンポーネントキャリアとして構成される、
請求項１０に記載のユーザ機器。
【請求項１５】
前記構成情報は、キャリアアグリゲーションにおいて第１のセルを用いて前記複数のコンポーネントキャリアを構成することに関係し、前記少なくとも１つのコンポーネントキャリアは、プライマリコンポーネントキャリアとして構成される、
請求項１０に記載のユーザ機器。
【請求項１６】
前記構成情報は、キャリアアグリゲーションにおいて第１のセルグループおよび第２のセルグループ上で前記複数のコンポーネントキャリアを構成することに関係し、前記少なくとも１つのコンポーネントキャリアは、前記第１のセルグループまたは前記第２のセルグループのうちの１つのためのプライマリコンポーネントキャリアとして構成される、
請求項１０に記載のユーザ機器。
【請求項１７】
ワイヤレスネットワークにおいて複数のコンポーネントキャリア上で通信するためのユーザ機器であって、
１つまたは複数のセルによって構成された前記複数のコンポーネントキャリアのための構成情報を取得するための手段と、
前記１つまたは複数のセルを用いて制御チャネルおよびデータチャネルの並列送信を実行するようにとのインジケーションを受信するための手段と、
前記並列送信が、前記複数のコンポーネントキャリアのうちの少なくとも１つのコンポーネントキャリア上でサポートされないと、前記インジケーションを受信することに基づいて、決定するための手段、ここにおいて、前記少なくとも１つのコンポーネントキャリアは、前記１つまたは複数のセルのうちのプライマリセルに対応する、と、
前記並列送信を実行するようにとの前記インジケーションに少なくとも部分的に基づいて、および前記並列送信が、前記少なくとも１つのコンポーネントキャリア上でサポートされないと決定することに少なくとも部分的に基づいて、前記少なくとも１つのコンポーネントキャリア上で前記制御チャネルまたは前記データチャネルのうちの１つを送信するための手段と
を備え、前記決定するための手段は、少なくとも部分的に、不連続リソース割振りが、前記少なくとも１つのコンポーネントキャリア上でサポートされるかどうかを決定することによって、前記並列送信が、前記少なくとも１つのコンポーネントキャリア上でサポートされないと決定するための手段を備える、ユーザ機器。
【請求項１８】
前記送信するための手段は、前記並列送信が、前記少なくとも１つのコンポーネントキャリア上でサポートされないと決定することに基づいて、前記データチャネルを送信し、前記データチャネル上で制御データを送信するための手段をさらに備える、
請求項１７に記載のユーザ機器。
【請求項１９】
前記データチャネルが、前記少なくとも１つのコンポーネントキャリア上で送信されるようにスケジュールされないと決定するための手段と、
前記複数のコンポーネントキャリアからの第２のコンポーネントキャリア上で第２のデータチャネルを識別するための手段と
をさらに備え、前記送信するための手段は、前記少なくとも１つのコンポーネントキャリア上で前記制御チャネルを送信し、前記第２のコンポーネントキャリア上で前記第２のデータチャネルを送信する、
請求項１７に記載のユーザ機器。
【請求項２０】
前記構成情報は、デュアル接続性において第１のセルグループおよび第２のセルグループ上で前記複数のコンポーネントキャリアを構成することに関係し、前記少なくとも１つのコンポーネントキャリアは、前記第１のセルグループまたは前記第２のセルグループのうちの１つのためのプライマリコンポーネントキャリアとして構成される、
請求項１７に記載のユーザ機器。
【請求項２１】
前記構成情報は、キャリアアグリゲーションにおいて第１のセルを用いて前記複数のコンポーネントキャリアを構成することに関係し、前記少なくとも１つのコンポーネントキャリアは、プライマリコンポーネントキャリアとして構成される、
請求項１７に記載のユーザ機器。
【請求項２２】
前記構成情報は、キャリアアグリゲーションにおいて第１のセルグループおよび第２のセルグループ上で前記複数のコンポーネントキャリアを構成することに関係し、前記少なくとも１つのコンポーネントキャリアは、前記第１のセルグループまたは前記第２のセルグループのうちの１つのためのプライマリコンポーネントキャリアとして構成される、
請求項１７に記載のユーザ機器。
【請求項２３】
ワイヤレスネットワークにおいて複数のコンポーネントキャリア上で通信するためのコンピュータ実行可能コードを備える非一時的コンピュータ可読記憶媒体であって、前記コードは、
１つまたは複数のセルによって構成された前記複数のコンポーネントキャリアのための構成情報を、ユーザ機器（ＵＥ）によって取得するためのコードと、
前記１つまたは複数のセルを用いて制御チャネルおよびデータチャネルの並列送信を実行するようにとのインジケーションを、前記ＵＥによって受信するためのコードと、
前記並列送信が、前記複数のコンポーネントキャリアのうちの少なくとも１つのコンポーネントキャリア上でサポートされないと、前記ＵＥによって、および、前記インジケーションを受信することに基づいて、決定するためのコード、ここにおいて、前記少なくとも１つのコンポーネントキャリアは、前記１つまたは複数のセルのうちのプライマリセルに対応する、と、
前記並列送信を実行するようにとの前記インジケーションに少なくとも部分的に基づいて、および前記並列送信が、前記少なくとも１つのコンポーネントキャリア上でサポートされないと決定することに少なくとも部分的に基づいて、前記少なくとも１つのコンポーネントキャリア上で前記制御チャネルまたは前記データチャネルのうちの１つを、前記ＵＥによって送信するためのコードと
を備え、前記並列送信は、前記少なくとも１つのコンポーネントキャリア上でサポートされないと決定することは、不連続リソース割振りが、前記少なくとも１つのコンポーネントキャリア上でサポートされるかどうかを決定することを備える、非一時的コンピュータ可読記憶媒体。
【請求項２４】
前記送信するためのコードは、前記並列送信が、前記少なくとも１つのコンポーネントキャリア上でサポートされないと決定することに基づいて、前記データチャネルを送信し、前記データチャネル上で制御データを送信するためのコードをさらに備える、
請求項２３に記載の非一時的コンピュータ可読記憶媒体。
【請求項２５】
前記コードは、
前記データチャネルが、前記少なくとも１つのコンポーネントキャリア上で送信されるようにスケジュールされないと決定するためのコードと、
前記複数のコンポーネントキャリアからの第２のコンポーネントキャリア上で第２のデータチャネルを識別するためのコードと
をさらに備え、前記送信するためのコードは、前記少なくとも１つのコンポーネントキャリア上で前記制御チャネルを送信し、前記第２のコンポーネントキャリア上で前記第２のデータチャネルを送信する、
請求項２３に記載の非一時的コンピュータ可読記憶媒体。
【請求項２６】
前記構成情報は、デュアル接続性において第１のセルグループおよび第２のセルグループ上で前記複数のコンポーネントキャリアを構成することに関係し、前記少なくとも１つのコンポーネントキャリアは、前記第１のセルグループまたは前記第２のセルグループのうちの１つのためのプライマリコンポーネントキャリアとして構成される、
請求項２３に記載の非一時的コンピュータ可読記憶媒体。
【請求項２７】
前記構成情報は、キャリアアグリゲーションにおいて第１のセルを用いて前記複数のコンポーネントキャリアを構成することに関係し、前記少なくとも１つのコンポーネントキャリアは、プライマリコンポーネントキャリアとして構成される、
請求項２３に記載の非一時的コンピュータ可読記憶媒体。
【発明の詳細な説明】
【優先権の主張】
【０００１】
[0001]本特許出願は、その全体が参照により本明細書に明確に組み込まれる、２０１４年１０月３日に出願された「TECHNIQUES FOR TRANSMITTING A CONTROL CHANNEL AND DATA CHANNEL OVER MULTIPLE COMPONENT CARRIERS」と題する仮出願第６２／０５９，６９９号、および２０１５年９月２５日に出願された「TECHNIQUES FOR TRANSMITTING A CONTROL CHANNEL AND A DATA CHANNEL OVER MULTIPLE COMPONENT CARRIERS」と題する米国特許出願第１４／８６６，４５５号の優先権を主張する。
【技術分野】
【０００２】
[0002]本開示は、たとえば、ワイヤレス通信システムに関し、より詳細には、ワイヤレス通信において１つまたは複数のコンポーネントキャリア上で制御チャネルおよびデータチャネルを送信するための技法に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局（たとえば、ｅノードＢ）を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]キャリアアグリゲーションでは、ＵＥは、改善されたデータスループット、ダイバーシティ、信頼性などを可能にするために、複数のコンポーネントキャリア上でセルと通信するように構成され得る。複数のコンポーネントキャリアのうちの１つは、セカンダリコンポーネントキャリアをアクティブ／非アクティブにするための制御情報を含み得る、プライマリコンポーネントキャリアおよび他のセカンダリコンポーネントキャリアのための制御データがそれの上で通信される、プライマリコンポーネントキャリアとして割り当てられる。
【０００６】
[0006]多重接続性では、ＵＥは、複数のリンクを使用する複数の基地局によって構成された複数のセルまたはセルグループと通信するように構成され得る。リンクの各々は、複数のコンポーネントキャリアを用いて構成され得る（たとえば、対応するセルグループとの複数のリンクのうちの１つまたは複数上でのキャリアアグリゲーション）。この構成では、ＵＥは、所与のリンクのために構成されたプライマリコンポーネントキャリア上で各リンクのための制御データを通信することができる。
【０００７】
[0007]第３世代パートナーシッププロジェクト（３ＧＰＰ（登録商標））ロングタームエボリューション（ＬＴＥ（登録商標））ＵＥは、並列に制御チャネルおよびデータチャネルを送信する能力をサポートすることができるが、この能力は、ＵＥが、現在のベースバンド上で並列制御およびデータチャネル通信をサポートすることができるが、帯域アグノスティック（agnostic）であることを暗示する。その上、３ＧＰＰ  ＬＴＥ  ＵＥは、帯域ごとにシグナリングされ、帯域固有である、コンポーネントキャリア内での不連続リソース割振りを使用して通信する能力をサポートすることができる。したがって、ＵＥは、ベースバンド上での並列制御およびデータチャネル通信をサポートするが、コンポーネントキャリア内での不連続リソース割振りをサポートせず、したがって、コンポーネントキャリア内での並列制御およびデータチャネル通信をサポートすることができない可能性がある。キャリアアグリゲーションおよびデュアル接続性では、並列制御およびデータ通信は、特定のキャリアまたは帯域と結びつけられず、したがって、ＵＥが並列制御およびデータ送信を用いて構成された場合、処理は、ＵＥが、同じキャリア上で並列送信を実行することが可能であるかどうかに依存せず、対応する帯域のためのそれの能力に依存する。
【発明の概要】
【０００８】
[0008]本開示の態様は、一般にワイヤレス通信に関し、より詳細には、ワイヤレス通信において１つまたは複数のコンポーネントキャリア上で制御およびデータチャネルを送信するための技法に関する。
【０００９】
[0009]一態様によれば、キャリアアグリゲーションおよび／またはデュアル接続性において複数のキャリア上で通信するように構成されたユーザ機器（ＵＥ）は、それが、制御チャネルおよびデータチャネルの並列送信を実行するようにも構成されるかどうかを決定することができる。そのように構成される場合、ＵＥは、並列送信が、所与のコンポーネントキャリア（ＣＣ）上でサポートされるかどうかを決定することができ、それに応じて、所与のＣＣ上で制御チャネルおよび／またはデータチャネルを送信することができる。たとえば、制御チャネルおよびデータチャネルの並列送信を実行するように構成されたＵＥが、そのＵＥが、並列送信をそれのために実行することができないＣＣを割り当てられた場合、ＵＥは、（たとえば、ＵＥが、ＣＣおよび／またはＣＣの任意の組合せ上で制御チャネルおよびデータチャネルの並列送信を実行することができないように）完全に制御チャネルおよびデータチャネルの並列送信を禁止し得る。別の例では、並列送信を実行するように構成されたＵＥが、そのＵＥが、並列送信をそれのために実行することができないＣＣを割り当てられた場合、ＵＥは、割り当てられたＣＣ上での制御チャネルおよびデータチャネルの並列送信を禁止しながら、可能なＣＣ上での制御チャネルおよびデータチャネルの並列送信を依然としてサポートし得る。また別の例では、発展型ノードＢ（ｅノードＢ）は、（少なくとも、制御データ送信をサポートするプライマリＣＣまたは他のＣＣとしての）並列送信がそれの上で禁止されるＣＣを用いてＵＥを構成することを控えることがある。
【００１０】
[0010]いずれの例においても、プライマリＣＣが、制御チャネルおよびデータチャネルの並列送信が、それの上で実行され得ないＣＣである場合、ＵＥは、制御チャネルのみを送信することができるか、またはデータチャネルのみを送信することができる。後者の場合、たとえば、ＵＥは、データチャネル上で制御情報を送信することができる。
【００１１】
[0011]一例によれば、ワイヤレスネットワークにおいて複数のコンポーネントキャリア上で通信するための方法が提供される。本方法は、１つまたは複数のセルによって構成された複数のコンポーネントキャリアのための構成情報を取得することと、１つまたは複数のセルを用いて制御チャネルおよびデータチャネルの並列送信を実行するようにとのインジケーションを受信することと、並列送信が、複数のコンポーネントキャリアのうちの少なくとも１つのコンポーネントキャリア上でサポートされるかどうかを決定することと、並列送信を実行するようにとのインジケーションに少なくとも部分的に基づいて、および並列送信が、少なくとも１つのコンポーネントキャリア上でサポートされるかどうかを決定することに少なくとも部分的に基づいて、少なくとも１つのコンポーネントキャリア上で制御チャネル、データチャネル、またはそれらの組合せのうちの少なくとも１つを送信することとを含む。
【００１２】
[0012]いくつかの例では、本方法は、ここにおいて、制御チャネル、データチャネル、またはそれらの組合せのうちの少なくとも１つを送信することは、並列送信が、少なくとも１つのコンポーネントキャリア上でサポートされないと決定することに基づいて、制御チャネルまたはデータチャネルのいずれかを送信することを備える、をも含み得る。本方法は、ここにおいて、制御チャネル、データチャネル、またはそれらの組合せのうちの少なくとも１つを送信することは、並列送信が、少なくとも１つのコンポーネントキャリア上でサポートされないと決定することに基づいて、データチャネルを送信することを備え、データチャネル上で制御データを送信することをさらに含む、をさらに含み得る。本方法は、データチャネルが、少なくとも１つのコンポーネントキャリア上で送信されるようにスケジュールされないと決定することと、複数のコンポーネントキャリアからの第２のコンポーネントキャリア上で第２のデータチャネルを識別することとをも含み得、ここにおいて、送信することが、少なくとも１つのコンポーネントキャリア上で制御チャネルを送信することを備え、第２のコンポーネントキャリア上で第２のデータチャネルを送信することをさらに備える。
【００１３】
[0013]その上、本方法は、第２のコンポーネントキャリア上で第２のデータチャネルを使用して制御データの少なくとも一部分を送信することを含み得る。本方法は、ここにおいて、構成情報が、デュアル接続性において第１のセルグループおよび第２のセルグループ上で複数のコンポーネントキャリアを構成することに関係し、ここにおいて、少なくとも１つのコンポーネントキャリアが、第１のセルグループまたは第２のセルグループのうちの１つのためのプライマリコンポーネントキャリアとして構成される、をも含み得る。さらに、本方法は、ここにおいて、構成情報が、デュアル接続性において第１のセルグループおよび第２のセルグループ上で複数のコンポーネントキャリアを構成することに関係し、ここにおいて、少なくとも１つのコンポーネントキャリアが、第１のセルグループまたは第２のセルグループのうちの１つのためのプライマリコンポーネントキャリアとして構成されることを禁止される、を含み得る。本方法は、ここにおいて、構成情報が、キャリアアグリゲーションにおいて第１のセルを用いて複数のコンポーネントキャリアを構成することに関係し、ここにおいて、少なくとも１つのコンポーネントキャリアが、プライマリコンポーネントキャリアとして構成される、をも含み得る。本方法は、ここにおいて、構成情報が、キャリアアグリゲーションにおいて第１のセルを用いて複数のコンポーネントキャリアを構成することに関係し、ここにおいて、少なくとも１つのコンポーネントキャリアが、プライマリコンポーネントキャリアとして構成されることを禁止される、をさらに含み得る。また、本方法は、ここにおいて、構成情報が、キャリアアグリゲーションにおいて第１のセルグループおよび第２のセルグループ上で複数のコンポーネントキャリアを構成することに関係し、ここにおいて、少なくとも１つのコンポーネントキャリアが、第１のセルグループまたは第２のセルグループのうちの１つのためのプライマリコンポーネントキャリアとして構成される、を含み得る。さらに、本方法は、ここにおいて、構成情報が、キャリアアグリゲーションにおいて第１のセルグループおよび第２のセルグループ上で複数のコンポーネントキャリアを構成することに関係し、ここにおいて、少なくとも１つのコンポーネントキャリアが、第１のセルグループまたは第２のセルグループのうちの１つのためのプライマリコンポーネントキャリアとして構成されることを禁止される、を含み得る。本方法は、ここにおいて、並列送信が、少なくとも１つのコンポーネントキャリア上でサポートされるかどうかを決定することは、不連続リソース割振りが、少なくとも１つのコンポーネントキャリア上でサポートされるかどうかを決定することを備える、をも含み得る。
【００１４】
[0014]別の例では、ワイヤレスネットワークにおいて複数のコンポーネントキャリア上で通信するためのユーザ機器が提供される。本ユーザ機器は、トランシーバと、ワイヤレスネットワークにおいて信号を通信するために、バスを介してトランシーバと通信可能に結合された少なくとも１つのプロセッサと、バスを介して少なくとも１つのプロセッサおよび／またはトランシーバと通信可能に結合されたメモリとを含み得る。少なくとも１つのプロセッサおよびメモリは、１つまたは複数のセルによって構成された複数のコンポーネントキャリアのための構成情報を取得することと、１つまたは複数のセルを用いて制御チャネルおよびデータチャネルの並列送信を実行するようにとのインジケーションを受信することと、並列送信が、複数のコンポーネントキャリアのうちの少なくとも１つのコンポーネントキャリア上でサポートされるかどうかを決定することと、並列送信を実行するようにとのインジケーションに少なくとも部分的に基づいて、および並列送信が、少なくとも１つのコンポーネントキャリア上でサポートされるかどうかを決定することに少なくとも部分的に基づいて、少なくとも１つのコンポーネントキャリア上で制御チャネル、データチャネル、またはそれらの組合せのうちの少なくとも１つを送信することとを行うように動作可能である。
【００１５】
[0015]本ユーザ機器は、ここにおいて、少なくとも１つのプロセッサおよびメモリは、並列送信が、少なくとも１つのコンポーネントキャリア上でサポートされないと決定することに基づいて、制御チャネルまたはデータチャネルのいずれかを送信するように動作可能である、をも含み得る。本ユーザ機器は、ここにおいて、少なくとも１つのプロセッサおよびメモリは、並列送信が、少なくとも１つのコンポーネントキャリア上でサポートされないと決定することに基づいて、データチャネルを送信するように動作可能であり、ここにおいて、少なくとも１つのプロセッサおよびメモリが、データチャネル上で制御データを送信するようにさらに動作可能である、をさらに含み得る。その上、少なくとも１つのプロセッサおよびメモリは、データチャネルが、少なくとも１つのコンポーネントキャリア上で送信されるようにスケジュールされないと決定することと、複数のコンポーネントキャリアからの第２のコンポーネントキャリア上で第２のデータチャネルを識別することとを行うようにさらに動作可能であり得、ここにおいて、少なくとも１つのプロセッサおよびメモリが、少なくとも１つのコンポーネントキャリア上で制御チャネルを送信するように動作可能であり、第２のコンポーネントキャリア上で第２のデータチャネルを送信するようにさらに動作可能である。
【００１６】
[0016]さらに、本ユーザ機器は、ここにおいて、少なくとも１つのプロセッサおよびメモリが、第２のコンポーネントキャリア上で第２のデータチャネルを使用して制御データの少なくとも一部分を送信するようにさらに動作可能である、を含み得る。本ユーザ機器は、ここにおいて、構成情報が、デュアル接続性において第１のセルグループおよび第２のセルグループ上で複数のコンポーネントキャリアを構成することに関係し、ここにおいて、少なくとも１つのコンポーネントキャリアが、第１のセルグループまたは第２のセルグループのうちの１つのためのプライマリコンポーネントキャリアとして構成される、をも含み得る。さらに、本ユーザ機器は、ここにおいて、構成情報が、デュアル接続性において第１のセルグループおよび第２のセルグループ上で複数のコンポーネントキャリアを構成することに関係し、ここにおいて、少なくとも１つのコンポーネントキャリアが、第１のセルグループまたは第２のセルグループのうちの１つのためのプライマリコンポーネントキャリアとして構成されることを禁止される、を含み得る。本ユーザ機器は、ここにおいて、構成情報が、キャリアアグリゲーションにおいて第１のセルを用いて複数のコンポーネントキャリアを構成することに関係し、ここにおいて、少なくとも１つのコンポーネントキャリアが、プライマリコンポーネントキャリアとして構成される、をも含み得る。本ユーザ機器は、ここにおいて、構成情報が、キャリアアグリゲーションにおいて第１のセルを用いて複数のコンポーネントキャリアを構成することに関係し、ここにおいて、少なくとも１つのコンポーネントキャリアが、プライマリコンポーネントキャリアとして構成されることを禁止される、をさらに含み得る。その上、本ユーザ機器は、ここにおいて、構成情報が、キャリアアグリゲーションにおいて第１のセルグループおよび第２のセルグループ上で複数のコンポーネントキャリアを構成することに関係し、ここにおいて、少なくとも１つのコンポーネントキャリアが、第１のセルグループまたは第２のセルグループのうちの１つのためのプライマリコンポーネントキャリアとして構成される、を含み得る。本ユーザ機器は、ここにおいて、構成情報が、キャリアアグリゲーションにおいて第１のセルグループおよび第２のセルグループ上で複数のコンポーネントキャリアを構成することに関係し、ここにおいて、少なくとも１つのコンポーネントキャリアが、第１のセルグループまたは第２のセルグループのうちの１つのためのプライマリコンポーネントキャリアとして構成されることを禁止される、をも含み得る。本ユーザ機器は、ここにおいて、少なくとも１つのプロセッサおよびメモリは、少なくとも部分的に、不連続リソース割振りが、少なくとも１つのコンポーネントキャリア上でサポートされるかどうかを決定することによって、並列送信が、少なくとも１つのコンポーネントキャリア上でサポートされるかどうかを決定するように動作可能である、をさらに含み得る。
【００１７】
[0017]また別の例では、ワイヤレスネットワークにおいて複数のコンポーネントキャリア上で通信するためのユーザ機器が提供される。本ユーザ機器は、１つまたは複数のセルによって構成された複数のコンポーネントキャリアのための構成情報を取得するための手段と、１つまたは複数のセルを用いて制御チャネルおよびデータチャネルの並列送信を実行するようにとのインジケーションを受信するための手段と、並列送信が、複数のコンポーネントキャリアのうちの少なくとも１つのコンポーネントキャリア上でサポートされるかどうかを決定するための手段と、並列送信を実行するようにとのインジケーションに少なくとも部分的に基づいて、および並列送信が、少なくとも１つのコンポーネントキャリア上でサポートされるかどうかを決定することに少なくとも部分的に基づいて、少なくとも１つのコンポーネントキャリア上で制御チャネル、データチャネル、またはそれらの組合せのうちの少なくとも１つを送信するための手段とを含み得る。
【００１８】
[0018]本ユーザ機器は、ここにおいて、送信するための手段は、並列送信が、少なくとも１つのコンポーネントキャリア上でサポートされないと決定することに基づいて、制御チャネルまたはデータチャネルのいずれかを送信する、をも含み得る。さらに、たとえば、本ユーザ機器は、ここにおいて、送信するための手段は、並列送信が、少なくとも１つのコンポーネントキャリア上でサポートされないと決定することに基づいて、データチャネルを送信し、データチャネル上で制御データを送信するための手段をさらに備える、を含み得る。
【００１９】
[0019]別の例では、ワイヤレスネットワークにおいて複数のコンポーネントキャリア上で通信するためのコンピュータ実行可能コードを備えるコンピュータ可読記憶媒体が提供される。コードは、１つまたは複数のセルによって構成された複数のコンポーネントキャリアのための構成情報を取得するためのコードと、１つまたは複数のセルを用いて制御チャネルおよびデータチャネルの並列送信を実行するようにとのインジケーションを受信するためのコードと、並列送信が、複数のコンポーネントキャリアのうちの少なくとも１つのコンポーネントキャリア上でサポートされるかどうかを決定するためのコードと、並列送信を実行するようにとのインジケーションに少なくとも部分的に基づいて、および並列送信が、少なくとも１つのコンポーネントキャリア上でサポートされるかどうかを決定することに少なくとも部分的に基づいて、少なくとも１つのコンポーネントキャリア上で制御チャネル、データチャネル、またはそれらの組合せのうちの少なくとも１つを送信するためのコードとを含む。
【００２０】
[0020]さらに、本コンピュータ可読記憶媒体は、ここにおいて、送信するためのコードは、並列送信が、少なくとも１つのコンポーネントキャリア上でサポートされないと決定することに基づいて、制御チャネルまたはデータチャネルのいずれかを送信する、を含み得る。さらに、本コンピュータ可読記憶媒体は、ここにおいて、送信するためのコードは、並列送信が、少なくとも１つのコンポーネントキャリア上でサポートされないと決定することに基づいて、データチャネルを送信し、データチャネル上で制御データを送信するためのコードをさらに備える、を含み得る。
【００２１】
[0021]本開示の様々な態様および特徴が、添付の図面に示されているそれらの様々な例を参照しながら以下でさらに詳細に説明される。本開示について様々な例を参照しながら以下で説明するが、本開示はそれに限定されないことを理解されたい。本明細書の教示へのアクセスを有する当業者は、追加の実装形態、変更形態、および例、ならびに本明細書で説明される本開示の範囲内に入り、それに関して本開示が著しく有用であり得る他の使用分野を認識されよう。
【図面の簡単な説明】
【００２２】
[0022]本開示のより完全な理解を可能にするために、次に添付の図面が参照され、そこにおいて、同様の数字を用いて同様の要素が参照される。これらの図面は、本開示を限定するものとして解釈すべきではなく、例示的なものにすぎない。
【図１】本開示の様々な態様による、ワイヤレス通信システムの一例を概念的に示すブロック図。
【図２】本開示の様々な態様に従って構成されたｅノードＢおよびユーザ機器（ＵＥ）の例を概念的に示すブロック図。
【図３】本開示の様々な態様による、ＵＥにおける無線アクセス技術のアグリゲーションを概念的に示すブロック図。
【図４】本開示の様々な態様による、ＵＥとＰＤＮとの間のデータ経路の一例を概念的に示すブロック図。
【図５】本開示の様々な態様による、多重接続性キャリアアグリゲーションを概念的に示す図。
【図６】本開示の様々な態様に従って１つまたは複数のコンポーネントキャリア上で制御および／またはデータチャネルを送信するように構成されたＵＥの一例を概念的に示すブロック図。
【図７】本開示の様々な態様による、制御およびデータチャネルを送信するための方法を示すフローチャート。
【図８】本開示の様々な態様に従って１つまたは複数のＵＥのためのコンポーネントキャリア構成を与えるように構成されたネットワークエンティティの一例を概念的に示すブロック図。
【図９】本開示の様々な態様による、コンポーネントキャリアを構成するための方法を示すフローチャート。
【図１０】本明細書で説明する態様による例示的なコンポーネントキャリア構成を示す図。
【図１１】本開示の様々な態様に従って構成された処理システムを採用する装置のための例示的なハードウェア実装形態を概念的に示すブロック図。
【発明を実施するための形態】
【００２３】
[0034]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造およびコンポーネントをブロック図の形式で示す。
【００２４】
[0035]１つまたは複数のコンポーネントキャリア（ＣＣ）上で制御およびデータチャネルを通信するための方法、装置、デバイス、およびシステムを含む様々な技法について説明する。いくつかの態様では、ワイヤレスデバイス（たとえば、ユーザ機器（ＵＥ））は、複数のＣＣ上で１つまたは複数のセルと通信することができ、ここで、ＣＣは、キャリアアグリゲーション（ＣＡ）において少なくとも１つのネットワークエンティティ（たとえば、発展型ノードＢ（ｅノードＢ））を用いて、および／または多重接続性において複数のネットワークエンティティを用いて構成され得る。多重接続性では、ＵＥは、１つまたは複数のセルへの１つまたは複数の通信リンクを使用して、複数のセルのうちの１つまたは複数を用いたＣＡにおいて複数のキャリアを用いて構成され得ることを諒解されたい。いくつかの態様では、多重接続性では、ワイヤレスデバイスは、第１の通信リンク上で第１のネットワークエンティティの第１のプライマリセル（たとえば、マスタセルグループ（ＭＣＧ）／プライマリセルグループ（ＰＣＧ）プライマリセルまたはＰＣｅｌｌ）と通信するための第１の構成情報を受信し得る。ワイヤレスデバイスはまた、第２の通信リンク上で第２のネットワークエンティティの第２のプライマリセル（たとえば、セカンダリセルグループ（ＳＣＧ）プライマリセルまたはＰＣｅｌｌSCG）と通信するための第２の構成情報を受信し得る。多重接続性の場合、ＰＣｅｌｌは、異なるｅノードＢ（たとえば、ＰＣｅｌｌを与えるマスタｅノードＢまたはＭｅノードＢ、およびＰＣｅｌｌSCGを与えるセカンダリｅノードＢまたはＳｅノードＢ）によって構成され得る。
【００２５】
[0036]さらに、ワイヤレスデバイスは、概して、制御チャネルおよびデータチャネル上で並列送信を実行するように構成され得るが、ＣＣの構成に関係する限定により、特定のＣＣ上でこの機能をサポートすることが可能でないことがある。したがって、ワイヤレスデバイスが、それが制御チャネルおよびデータチャネルの並列送信をそれのためにサポートすることができないＣＣを用いて構成された場合、ワイヤレスデバイスは、完全にそのような並列送信を無効にし得る。別の例では、ワイヤレスデバイスは、制御チャネルおよびデータチャネルの並列送信をサポートし続け得るが、所与の時間期間において制御チャネルまたはデータチャネルのうちの一方を送信することによって、並列送信をサポートすることができないＣＣ上での送信を制限し得る。この例では、ＣＣ上で制御チャネルまたはデータチャネルのうちの一方を送信すること、および別のＣＣ上で制御チャネルまたはデータチャネルのうちの他方を送信することによって、制御チャネルおよびデータチャネルの並列送信が依然としてサポートされ得ることを諒解されたい。また別の例では、キャリアを構成するネットワークエンティティが、ＵＥが、所与のＣＣ上での並列送信をサポートすることができないことに気づいている場合、ネットワークエンティティは、そのＣＣを、制御チャネル送信およびデータチャネル送信がそれの上でサポートされるＣＣ（たとえば、ＣＡまたは多重接続性におけるプライマリＣＣ）としてスケジュールすることを回避することができる。
【００２６】
[0037]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５、およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡはＵＭＴＳの一部である。３ＧＰＰ  ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のワイヤレスネットワークおよび無線技術、ならびに他のワイヤレスネットワークおよび無線技術のために使用され得る。明快のために、本技法のいくつかの態様について以下ではＬＴＥに関して説明し、以下の説明の大部分でＬＴＥ用語を使用する。
【００２７】
[0038]図１は、本開示の一態様による、ワイヤレス通信システム１００の一例を概念的に示すブロック図である。ワイヤレス通信システム１００は、基地局（またはセル）１０５と、ユーザ機器（ＵＥ）１１５と、コアネットワーク１３０とを含む。基地局１０５は、様々な実施形態ではコアネットワーク１３０または基地局１０５の一部であり得る、基地局コントローラ（図示せず）の制御下でＵＥ１１５と通信し得る。１つまたは複数のＵＥ１１５は、本明細書で説明するように、並列送信がＣＣ上でサポートされるかどうかを決定することに少なくとも部分的に基づいて、ＣＣ上で制御チャネルおよび／またはデータチャネルを送信するための通信コンポーネント６４０を含むことができる。基地局１０５のうちの１つまたは複数は、本明細書で説明するように、１つまたは複数のＵＥ１１５のためのＣＣ構成を生成するための通信コンポーネント８４０を含み得る。基地局１０５は、第１のバックホールリンク１３２を通してコアネットワーク１３０と制御情報および／またはユーザデータを通信し得る。実施形態では、基地局１０５は、ワイヤードまたはワイヤレス通信リンクであり得る第２のバックホールリンク１３４を介して、直接的または間接的のいずれかで、互いと通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。ワイヤレス通信システム１００はまた、複数のフロー上での動作を同時にサポートし得る。いくつかの態様では、複数のフローは、複数のワイヤレスワイドエリアネットワーク（ＷＷＡＮ）またはセルラーフローに対応し得る。他の態様では、複数のフローは、ＷＷＡＮまたはセルラーフローとワイヤレスローカルエリアネットワーク（ＷＬＡＮ）またはＷｉ−Ｆｉフローとの組合せに対応し得る。
【００２８】
[0039]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロ基地局、マイクロ基地局、および／またはピコ基地局）を含み得る。異なる技術のための重複するカバレージエリアがあり得る。
【００２９】
[0040]実装形態では、ワイヤレス通信システム１００はＬＴＥ／ＬＴＥ−Ａネットワーク通信システムである。ＬＴＥ／ＬＴＥ−Ａネットワーク通信システムでは、発展型ノードＢ（ｅノードＢ）という用語は、基地局１０５を表すために使用され得る。ワイヤレス通信システム１００は、異なるタイプのｅノードＢが様々な地理的領域にカバレージを与える、異種ＬＴＥ／ＬＴＥ−Ａネットワークであり得る。たとえば、各ｅノードＢ１０５は、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥ１１５によるネットワークプロバイダとの無制限アクセスを可能にし得る。ピコセルは、比較的小さい地理的エリア（たとえば、建築物）をカバーし得、サービスに加入しているＵＥ１１５によるネットワークプロバイダとの無制限アクセスを可能にし得る。また、フェムトセルは、比較的小さい地理的エリア（たとえば、自宅）をカバーし得、無制限アクセスに加えて、フェムトセルとの関連付けを有するＵＥ１１５（たとえば、限定加入者グループ（ＣＳＧ：closed subscriber group）中のＵＥ１１５、自宅内のユーザのためのＵＥ１１５など）による制限付きアクセスをも可能にし得る。マクロセルのためのｅノードＢ１０５はマクロｅノードＢと呼ばれることがある。ピコセルのためのｅノードＢ１０５はピコｅノードＢと呼ばれることがある。また、フェムトセルのためのｅノードＢ１０５はフェムトｅノードＢまたはホームｅノードＢと呼ばれることがある。ｅノードＢ１０５は、１つまたは複数の（たとえば、２つ、３つ、４つなどの）セルをサポートし得る。ワイヤレス通信システム１００は、ＵＥ１１５のうちの１つまたは複数によるＬＴＥおよびＷＬＡＮまたはＷｉ−Ｆｉの使用をサポートし得る。
【００３０】
[0041]コアネットワーク１３０は、第１のバックホールリンク１３２（たとえば、Ｓ１インターフェースなど）を介してｅノードＢ１０５または他の基地局１０５と通信し得る。ｅノードＢ１０５はまた、たとえば、第２のバックホールリンク１３４（たとえば、Ｘ２インターフェースなど）を介しておよび／または第１のバックホールリンク１３２を介して（たとえば、コアネットワーク１３０を通して）、直接的または間接的に、互いと通信し得る。ワイヤレス通信システム１００は同期動作または非同期動作をサポートし得る。同期動作の場合、ｅノードＢ１０５は同様のフレームタイミングを有し得、異なるｅノードＢ１０５からの送信は近似的に時間的に整合され得る。非同期動作の場合、ｅノードＢ１０５は異なるフレームタイミングを有し得、異なるｅノードＢ１０５からの送信は時間的に整合されないことがある。本明細書で説明する技法は、同期動作または非同期動作のいずれかのために使用され得る。
【００３１】
[0042]ＵＥ１１５は、ワイヤレス通信システム１００全体にわたって分散され得、各ＵＥ１１５は固定または移動であり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥ１１５は、マクロｅノードＢ、ピコｅノードＢ、フェムトｅノードＢ、リレーなどと通信することが可能であり得る。
【００３２】
[0043]ワイヤレス通信システム１００に示されている通信リンク１２５は、ＵＥ１１５からｅノードＢ１０５へのアップリンク（ＵＬ）送信および／またはｅノードＢ１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。
【００３３】
[0044]ワイヤレス通信システム１００のいくつかの態様では、ＵＥ１１５は、１つまたは複数のｅノードＢ１０５によって与えられる２つまたはそれ以上のセルを用いたキャリアアグリゲーション（ＣＡ）または多重接続性をサポートするように構成され得る。ＣＡ／多重接続性のために使用されるｅノードＢ１０５はコロケートされ得るか、または高速接続を通して接続されるか、および／またはコロケートされないことがある。いずれの場合も、ＵＥ１１５と１つまたは複数のｅノードＢ１０５との間のワイヤレス通信のためのＣＣのアグリゲーションを協調させることは、キャリアアグリゲーションを実行するために使用されている様々なセル間で情報が容易に共有され得るので、より容易に行われ得る。キャリアアグリゲーションのために使用されるｅノードＢ１０５がコロケートされない（たとえば、遠くに離れているかまたはそれらの間の高速接続を有しない）とき、コンポーネントキャリアのアグリゲーションを協調させることは、追加の態様を伴い得る。たとえば、デュアル接続性（たとえば、２つのコロケートされないｅノードＢ１０５に接続されたＵＥ１１５）のためのキャリアアグリゲーションでは、ＵＥ１１５は、第１のｅノードＢ１０５（たとえば、セカンダリｅノードＢ（ＳｅノードＢまたはＳｅＮＢ））のプライマリセルを通して第１のｅノードＢ１０５と通信するための構成情報を受信し得る。第１のｅノードＢ１０５は、セカンダリセルグループまたはＳＣＧと呼ばれるセルのグループを含み得、それは、第１のｅノードＢ１０５の、１つまたは複数のセカンダリセルとプライマリセルまたはＰＣｅｌｌSCGとを含む。ＵＥ１１５はまた、第２のｅノードＢ１０５（たとえば、マスタｅノードＢ（ＭｅノードＢまたはＭｅＮＢ））の第２のプライマリセルを通して第２のｅノードＢ１０５と通信するための構成情報を受信し得る。第２のｅノードＢ１０５は、マスタセルグループまたはＭＣＧと呼ばれるセルのグループを含み得、それは、第２のｅノードＢ１０５の、１つまたは複数のセカンダリセルとプライマリセルまたはＰＣｅｌｌMCGとを含む。
【００３４】
[0045]ワイヤレス通信システム１００のいくつかの態様では、デュアル接続性のためのキャリアアグリゲーションは、セカンダリｅノードＢ１０５（たとえば、ＳｅノードＢまたはＳｅＮＢ）がそれのセルのうちの１つをＰＣｅｌｌSCGとして動作させるように構成されることを伴い得る。セカンダリｅノードＢ１０５は、ＵＥ１１５がマスタｅノードＢ１０５（たとえば、ＭｅノードＢまたはＭｅＮＢ）と通信している間にＵＥ１１５がセカンダリｅノードＢ１０５と通信するためにＰＣｅｌｌSCGを通して構成情報をＵＥ１１５に送信し得る。同様に、ＵＥ１１５は、ＰＣｅｌｌSCGにＳＣＧのためのアップリンク制御情報を送信し得る。マスタｅノードＢ１０５は、同じＵＥ１１５が他方のｅノードＢ１０５と通信するために、それのＰＣｅｌｌMCGを介してそのＵＥ１１５に構成情報を送信し得る。同様に、ＵＥ１１５は、ＰＣｅｌｌにＭＣＧのためのアップリンク制御情報を送信し得る。２つのｅノードＢ１０５はコロケートされないことがある。
【００３５】
[0046]本明細書で説明する例では、ＵＥ１１５は、複数のＣＣが、ＣＡおよび／または多重接続性において構成されるかどうかにかかわらず、複数のＣＣ上で制御およびデータチャネルを送信するために構成され得る。たとえば、ＵＥ１１５は、概して、構成されたベースバンド上で制御チャネルおよびデータチャネルの並列送信を実行するように構成され得るが、構成されたＣＣ上の（たとえば、関係する周波数帯域上での）異なるチャネルの並列送信を制限され得る。この場合、ＵＥ１１５は、ＣＣ上で制御チャネルおよびデータチャネルの並列送信を実行しないことがある。したがって、一例では、ＵＥ１１５が、それが、並列制御チャネル送信およびデータチャネル送信をそれの上で実行することができないプライマリＣＣ（ＰＣＣ）を用いて構成されたとき、ＵＥ１１５は、ＵＥ１１５と、対応するｅノードＢ１０５との間の通信リンク（および／またはＵＥ１１５と複数のｅノードＢ１０５との間の複数の通信リンク）のすべてのＣＣ上で制御チャネルおよびデータチャネルの並列送信を実行する機能を無効にすることができる。別の例では、ＵＥ１１５が、それが、並列制御チャネル送信およびデータチャネル送信をそれの上で実行することができないＰＣＣを用いて構成されたとき、ＵＥ１１５は、通信リンクにおける他のＣＣ上での制御チャネルおよびデータチャネルの並列送信を概してサポートし続けることができるが、ＰＣＣ上でこの機能を制限し得る。この例では、ＵＥ１１５は、ＰＣＣ上で制御チャネルを送信するか、またはデータチャネルを送信し、所与の時間期間においてデータチャネル上で制御情報を送信するかのいずれかであり得る。また別の例では、ｅノードＢ１０５は、並列送信が、それの上で禁止されるＰＣＣ（または制御データ送信をサポートする少なくとも別のＣＣ）を用いてＵＥ１１５を構成することを控えることができる。
【００３６】
[0047]図２は、本開示の一態様に従って構成されたｅノードＢ２１０およびＵＥ２５０の例を概念的に示すブロック図である。たとえば、図２に示されているように、システム２００の基地局／ｅノードＢ２１０およびＵＥ２５０は、それぞれ、図１中の基地局／ｅノードＢのうちの１つおよびＵＥのうちの１つであり得る。ＵＥ２５０は、本明細書で説明するように、並列送信がＣＣ上でサポートされるかどうかを決定することに少なくとも部分的に基づいて、ＣＣ上で制御チャネルおよび／またはデータチャネルを送信するための通信コンポーネント６４０を含むことができ、通信コンポーネント６４０は、コントローラ／プロセッサ２８１および／またはメモリ２８２に結合されるように図示されており、コントローラ／プロセッサ２８１によって実装される、命令のセットとしてメモリ２８２に記憶される、などであり得る。ｅノードＢ２１０は、本明細書で説明するように、１つまたは複数のＵＥ２５０のためのＣＣ構成を生成するための通信コンポーネント８４０を含み得、通信コンポーネント８４０は、コントローラ／プロセッサ２４０および／またはメモリ２４２に結合されるように図示されており、コントローラ／プロセッサ２４０によって実装される、命令のセットとしてメモリ２４２に記憶される、などであり得る。いくつかの態様では、ｅノードＢ２１０は、キャリアアグリゲーションおよび／または多重接続性（たとえば、デュアル接続性）キャリアアグリゲーションなどをサポートし得る。たとえば、ｅノードＢ２１０は、それのＭＣＧ中のセルのうちの１つがＰＣｅｌｌMCGとして構成されたＭｅノードＢまたはＭｅＮＢであるか、あるいはそれのＳＣＧ中のそれのセルのうちの１つがＰＣｅｌｌSCGとして構成されたＳｅノードＢまたはＳｅＮＢであり得る。いくつかの態様では、ＵＥ２５０も、多重接続性キャリアアグリゲーションをサポートし得る。ＵＥ２５０は、ＰＣｅｌｌMCGおよび／またはＰＣｅｌｌSCGを介してｅノードＢ２１０から構成情報を受信し得る。基地局２１０はアンテナ２３４1~tを装備し得、ＵＥ２５０はアンテナ２５２1~rを装備し得、ここにおいて、ｔおよびｒは１よりも大きいかまたはそれに等しい整数である。
【００３７】
[0048]基地局２１０において、基地局送信プロセッサ２２０は、基地局データソース２１２からデータを受信し、基地局コントローラ／プロセッサ２４０から制御情報を受信し得る。制御情報は、ＰＢＣＨ、ＰＣＦＩＣＨ、物理的ハイブリッド自動再送／要求（ＨＡＲＱ）インジケータチャネル（ＰＨＩＣＨ）、ＰＤＣＣＨなどの上で搬送され得る。データは、ＰＤＳＣＨなどの上で搬送され得る。基地局送信プロセッサ２２０は、データシンボルおよび制御シンボルを取得するために、それぞれデータおよび制御情報を処理（たとえば、符号化およびシンボルマッピング）し得る。基地局送信プロセッサ２２０はまた、たとえば、ＰＳＳ、ＳＳＳ、およびセル固有基準信号（ＲＳ：reference signal）のための、基準シンボルを生成し得る。基地局送信（ＴＸ）多入力多出力（ＭＩＭＯ）プロセッサ２３０は、適用可能な場合、データシンボル、制御シンボル、および／または基準シンボルに対して空間処理（たとえば、プリコーディング）を実行し得、基地局変調器／復調器（ＭＯＤ／ＤＥＭＯＤ）２３２1~tに出力シンボルストリームを与え得る。各基地局変調器／復調器２３２は、出力サンプルストリームを取得するために、（たとえば、ＯＦＤＭなどのために）それぞれの出力シンボルストリームを処理し得る。各基地局変調器／復調器２３２はさらに、ダウンリンク信号を取得するために、出力サンプルストリームを処理（たとえば、アナログへの変換、増幅、フィルタ処理、およびアップコンバート）し得る。変調器／復調器２３２1~tからのダウンリンク信号は、それぞれアンテナ２３４1~tを介して送信され得る。
【００３８】
[0049]ＵＥ２５０において、ＵＥアンテナ２５２1~rは、基地局２１０からダウンリンク信号を受信し得、受信信号をそれぞれＵＥ変調器／復調器（ＭＯＤ／ＤＥＭＯＤ）２５４1~rに与え得る。各ＵＥ変調器／復調器２５４は、入力サンプルを取得するために、それぞれの受信信号を調整（たとえば、フィルタ処理、増幅、ダウンコンバート、およびデジタル化）し得る。各ＵＥ変調器／復調器２５４はさらに、受信シンボルを取得するために、（たとえば、ＯＦＤＭなどのために）入力サンプルを処理し得る。ＵＥ  ＭＩＭＯ検出器２５６は、すべてのＵＥ変調器／復調器２５４1~rから受信シンボルを取得し、適用可能な場合は受信シンボルに対してＭＩＭＯ検出を実行し、検出シンボルを与え得る。ＵＥ受信プロセッサ２５８は、検出シンボルを処理（たとえば、復調、デインターリーブ、および復号）し、ＵＥ２５０の復号されたデータをＵＥデータシンク２６０に与え、復号された制御情報をＵＥコントローラ／プロセッサ２８０に与え得る。
【００３９】
[0050]アップリンク上では、ＵＥ２５０において、ＵＥ送信プロセッサ２６４が、ＵＥデータソース２６２から（たとえば、物理アップリンク共有チャネル（ＰＵＳＣＨ：physical uplink shared channel）のための）データを受信し、処理し得、ＵＥコントローラ／プロセッサ２８０から（たとえば、物理アップリンク制御チャネル（ＰＵＣＣＨ：physical uplink control channel）のための）制御情報を受信し、処理し得る。ＵＥ送信プロセッサ２６４はまた、基準信号のための基準シンボルを生成し得る。ＵＥ送信プロセッサ２６４からのシンボルは、適用可能な場合はＵＥ  ＴＸ  ＭＩＭＯプロセッサ２６６によってプリコーディングされ、さらに（たとえば、ＳＣ−ＦＤＭなどのために）ＵＥ変調器／復調器２５４1~rによって処理され、基地局２１０に送信され得る。基地局２１０において、ＵＥ２５０からのアップリンク信号は、基地局アンテナ２３４によって受信され、基地局変調器／復調器２３２によって処理され、適用可能な場合は基地局ＭＩＭＯ検出器２３６によって検出され、ＵＥ２５０によって送られた復号されたデータと制御情報とを取得するために、基地局受信プロセッサ２３８によってさらに処理され得る。基地局受信プロセッサ２３８は、復号されたデータを基地局データシンク２４６に与え、復号された制御情報を基地局コントローラ／プロセッサ２４０に与え得る。
【００４０】
[0051]基地局コントローラ／プロセッサ２４０およびＵＥコントローラ／プロセッサ２８０は、それぞれ基地局２１０およびＵＥ２５０における動作をインジケーションし得る。ＵＥ２５０におけるＵＥコントローラ／プロセッサ２８０ならびに／または他のプロセッサおよびモジュールはまた、たとえば、図６、図８などに示されている機能ブロック、および／または本明細書で説明する技法のための他のプロセス（たとえば、図７、図９などに示されているフローチャート）の実行を実施、またはインジケーションし得る。いくつかの態様では、これらの機能ブロックおよび／またはプロセスの実行の少なくとも一部分は、ＵＥコントローラ／プロセッサ２８０中のブロック２８１によって実行され得る。基地局メモリ２４２およびＵＥメモリ２８２は、それぞれ基地局２１０およびＵＥ２５０のためのデータおよびプログラムコードを記憶し得る。たとえば、ＵＥメモリ２８２は、基地局２１０および／または別の基地局によって与えられる多重接続性ワイヤレス通信のための構成情報を記憶し得る。スケジューラ２４４は、ダウンリンクおよび／またはアップリンク上でのデータ送信のためにＵＥ２５０をスケジュールするために使用され得る。
【００４１】
[0052]一構成では、ＵＥ２５０は、１つまたは複数のセルによって構成された複数のコンポーネントキャリアのための構成情報を取得するための手段を含み得る。ＵＥ２５０は、１つまたは複数のセルを用いて制御チャネルおよびデータチャネルの並列送信を実行するようにとのインジケーションを受信するための手段をも含み得る。ＵＥ２５０は、並列送信が、複数のコンポーネントキャリアのうちの少なくとも１つのコンポーネントキャリア上でサポートされるかどうかを決定するための手段をさらに含むことができる。また、ＵＥ２５０は、並列送信を実行するようにとのインジケーションに少なくとも部分的に基づいて、および並列送信が、少なくとも１つのコンポーネントキャリア上でサポートされるのかサポートされないのかを決定することに少なくとも部分的に基づいて、少なくとも１つのコンポーネントキャリア上で制御チャネル、データチャネル、またはそれらの組合せのうちの少なくとも１つを送信するための手段を含み得る。一態様では、上述の手段は、上述の手段によって具陳された機能を実行するように構成された、ＵＥコントローラ／プロセッサ２８０、ＵＥメモリ２８２、ＵＥ受信プロセッサ２５８、ＵＥ  ＭＩＭＯ検出器２５６、ＵＥ変調器／復調器２５４、および／またはＵＥアンテナ２５２であり得るか、またはそれらを含み得る。別の態様では、上述の手段は、上述の手段によって具陳された機能を実行するように構成されたモジュール、コンポーネント、または任意の装置であり得る。そのようなモジュール、コンポーネント、または装置の例は、図６、図８などに関して説明され得る。
【００４２】
[0053]図３は、本開示の一態様による、ＵＥにおけるキャリアおよび／または通信リンクのアグリゲーションを概念的に示すブロック図である。アグリゲーションは、１つまたは複数のコンポーネントキャリア１〜Ｎ（ＣＣ1〜ＣＣN）を使用してｅノードＢ３０５−ａと通信し、および／または１つまたは複数のコンポーネントキャリアＭ〜Ｐ（ＣＣM〜ＣＣP）を使用してセカンダリｅノードＢ３０５−ｂと通信することができる、マルチモードＵＥ３１５を含むシステム３００中で行われ得る。たとえば、ｅノードＢ３０５−ａおよび／またはセカンダリｅノードＢ３０５−ｂは、ＡＰ、フェムトセル、ピコセルなどを含み得る。ＵＥ３１５は、本明細書で説明するように、並列送信がＣＣ上でサポートされるかどうかを決定することに少なくとも部分的に基づいて、ＣＣ上で制御チャネルおよび／またはデータチャネルを送信するための通信コンポーネント６４０を含むことができる。ｅノードＢ３０５−ａおよび／または３０５−ｂは、本明細書で説明するように、１つまたは複数のＵＥ３１５のためのＣＣ構成を生成するための通信コンポーネント８４０を含み得る。ＵＥ３１５は、この例では、２つ以上の無線アクセス技術（ＲＡＴ）をサポートするマルチモードＵＥであり得る。たとえば、ＵＥ３１５は、少なくともＷＷＡＮ無線アクセス技術（たとえば、ＬＴＥ）および／またはＷＬＡＮ無線アクセス技術（たとえば、Ｗｉ−Ｆｉ）をサポートし得る。マルチモードＵＥはまた、本明細書で説明するように、キャリアアグリゲーションおよび／または多重接続性キャリアアグリゲーションをサポートし得る。ＵＥ３１５は、図１、図２、図４、図５、図６、図８のＵＥのうちの１つの一例であり得る。ｅノードＢ３０５−ａおよび／またはセカンダリｅノードＢ３０５−ｂは、図１、図２、図４、図５、図６、図８のｅノードＢまたは基地局のうちの１つの一例であり得る。１つのＵＥ３１５、１つのｅノードＢ３０５−ａ、および１つのセカンダリｅノードＢ３０５−ｂのみが図３に示されているが、システム３００が、任意の数のＵＥ３１５、ｅノードＢ３０５−ａ、および／またはセカンダリｅノードＢ３０５−ｂを含むことができることが諒解されよう。一例では、ＵＥ３１５は、１つまたは複数のＬＴＥコンポーネントキャリア３３０−１〜３３０−Ｎ上で１つのｅノードＢ３０５−ａと通信する間に別の１つまたは複数のコンポーネントキャリア３３０Ｍ〜３３０−Ｐ上で別のｅノードＢ３０５−ｂと通信することができる。
【００４３】
[0054]ｅノードＢ３０５−ａは、ＬＴＥコンポーネントキャリアＣＣ1〜ＣＣN３３０上の順方向（ダウンリンク）チャネル３３２−１〜３３２−Ｎを介してＵＥ３１５に情報を送信することができる。さらに、ＵＥ３１５は、ＬＴＥコンポーネントキャリアＣＣ1〜ＣＣN上の１つまたは複数の逆方向（アップリンク）チャネル３３４−１〜３３４−Ｎを介してｅノードＢ３０５−ａに情報を送信することができる。同様に、ｅノードＢ３０５−ｂは、１つまたは複数のＬＴＥコンポーネントキャリアＣＣM〜ＣＣp３３０上の１つまたは複数の順方向（ダウンリンク）チャネル３３２−ｍ〜３３２−ｐを介してＵＥ３１５に情報を送信し得る。さらに、ＵＥ３１５は、１つまたは複数のＬＴＥコンポーネントキャリアＣＣM〜ＣＣp３３０上の１つまたは複数の逆方向（アップリンク）チャネル３３４−ｍ〜３３４−ｐを介してｅノードＢ３０５−ｂに情報を送信し得る。
【００４４】
[0055]図３ならびに開示する実施形態のうちのいくつかに関連する他の図の様々なエンティティについて説明する際、説明の目的で、３ＧＰＰ  ＬＴＥまたはＬＴＥ−Ａワイヤレスネットワークに関連する名称が使用される。ただし、システム３００は、限定はしないが、ＯＦＤＭＡワイヤレスネットワーク、ＣＤＭＡネットワーク、３ＧＰＰ２  ＣＤＭＡ２０００ネットワークなどの他のネットワークにおいて動作することができることを諒解されたい。
【００４５】
[0056]マルチキャリア動作中、異なるＵＥ３１５に関連するダウンリンク制御情報（ＤＣＩ）メッセージは、複数のコンポーネントキャリア上で搬送され得る。たとえば、ＰＤＣＣＨ上のＤＣＩは、物理ダウンリンク共有チャネル（ＰＤＳＣＨ）送信のためにＵＥ３１５によって使用されるように構成された同じコンポーネントキャリア上に含まれ得る（すなわち、同一キャリアシグナリング）。代替または追加として、ＤＣＩは、ＰＤＳＣＨ送信のために使用されるターゲットコンポーネントキャリアとは異なるコンポーネントキャリア上で搬送され得る（すなわち、クロスキャリアシグナリング）。いくつかの実装形態では、半静的に有効化され得るキャリアインジケータフィールド（ＣＩＦ：carrier indicator field）は、ＰＤＳＣＨ送信のためにターゲットキャリア以外のキャリアからのＰＤＣＣＨ制御シグナリングの送信を可能にするために、一部または全部のＤＣＩフォーマット中に含まれ得る（クロスキャリアシグナリング）。同様に、ＵＥ３１５からのアップリンク制御情報（ＵＣＩ）メッセージは、プライマリＣＣとして構成されたＣＣのうちの１つ上で搬送される制御チャネル（たとえば、ＰＵＣＣＨ）を使用して、あるいはプライマリＣＣまたは１つまたは複数のセカンダリＣＣ上で搬送されるデータチャネル（たとえば、ＰＵＳＣＨ）上で送信され得る。
【００４６】
[0057]本例では、ＵＥ３１５は、１つのｅノードＢ３０５−ａからデータを受信し得る。しかしながら、セルエッジ上のユーザは、データレートを制限することがある高いセル間干渉を経験し得る。マルチフローは、ＵＥがコンカレントに２つのｅノードＢ３０５−ａおよび３０５−ｂからデータを受信することを可能にする。いくつかの態様では、２つのｅノードＢ３０５−ａは、コロケートされないことがあり、多重接続性キャリアアグリゲーションをサポートするように構成され得る。マルチフローは、ＵＥが同時に２つの隣接するセル中の２つのセルタワーの範囲内にあるとき（以下の図５参照）、２つのまったく別個のストリーム中で２つのｅノードＢ３０５−ａ／３０５−ｂからのデータを送信および受信することによって動作する。ＵＥは、デバイスがいずれかのｅノードＢの到達範囲のエッジ上にあるとき、同時に２つのｅノードＢ３０５−ａおよび／または３０５−ｂと通話する。同時に２つの異なるｅノードＢからモバイルデバイスに２つの独立データストリームをスケジュールすることによって、マルチフローは、ワイヤレス通信ネットワークにおける不均一なローディングを活用する。これは、セルエッジユーザ経験を向上させるのを助けるとともに、ネットワーク容量を増大させる。一例では、セルエッジにおけるユーザのためのスループットデータ速度が倍になり得る。いくつかの態様では、マルチフローはまた、ＵＥがＷＷＡＮタワー（たとえば、セルラータワー）とＷＬＡＮタワー（たとえば、ＡＰ）の両方の到達範囲内にあるとき、それらのタワーと同時に通話するＵＥの能力を指すことがある。そのような場合、タワーは、タワーがコロケートされないとき、多重接続を通してキャリアアグリゲーションをサポートするように構成され得る。図４は、本開示の一態様による、ＵＥ４１５とＰＤＮ４４０（たとえば、インターネットまたはインターネットにアクセスするための１つもしくは複数のコンポーネント）との間のデータ経路４４５および４５０の一例を概念的に示すブロック図である。データ経路４４５、４５０は、同じＲＡＴを使用することも使用しないこともある、異なるｅノードＢ４０５−ａおよび４０５−ｂからのデータをアグリゲートするためのワイヤレス通信システム４００のコンテキスト内で示されている。図２のシステム２００は、ワイヤレス通信システム４００の部分の一例であり得る。ワイヤレス通信システム４００は、マルチモードＵＥ４１５、ｅノードＢ４０５−ａ、（たとえば、Ｘ２インターフェースに基づく）バックホールリンク４３８を介してｅノードＢ４０５−ａに結合され得るセカンダリｅノードＢ４０５−ｂ、発展型パケットコア（ＥＰＣ）４８０、ＰＤＮ４４０、およびピアエンティティ４５５を含み得る。ＵＥ４１５は、本明細書で説明するように、並列送信がＣＣ上でサポートされるかどうかを決定することに少なくとも部分的に基づいて、ＣＣ上で制御チャネルおよび／またはデータチャネルを送信するための通信コンポーネント６４０を含むことができる。ｅノードＢ４０５−ａおよび／または４０５−ｂは、本明細書で説明するように、１つまたは複数のＵＥ４１５のためのＣＣ構成を生成するための通信コンポーネント８４０を含み得る。マルチモードＵＥ４１５は、キャリアアグリゲーション、多重接続性（たとえば、デュアル接続性）キャリアアグリゲーションなどをサポートするように構成され得る。ＥＰＣ４８０は、モビリティ管理エンティティ（ＭＭＥ）４３０と、サービングゲートウェイ（ＳＧＷ）４３２と、ＰＤＮゲートウェイ（ＰＧＷ）４３４とを含み得る。ホーム加入者システム（ＨＳＳ：home subscriber system）４３５は、ＭＭＥ４３０と通信可能に結合され得る。ＵＥ４１５は、ＬＴＥ無線機４２０および／または４２５を含み得るが、同じＬＴＥ無線機が、一例では、ｅノードＢ４０５−ａとｅノードＢ４０５−ｂの両方と通信するために使用され得ることを諒解されたい。これらの要素は、前または後の図を参照しながら上記で説明したそれらのカウンターパートのうちの１つまたは複数の態様を表し得る。たとえば、ＵＥ４１５は、図１、図２、図３、図５、図６、図８中のＵＥの一例であり得、ｅノードＢ４０５−ａは、図１または図２のｅノードＢ／基地局、図３のｅノードＢ３０５−ａ、図５のＭｅノードＢ５０５−ａ、図６のＭｅノードＢ６０５−ａ、図８のネットワークエンティティ８０５−ａなどの一例であり得、セカンダリｅノードＢ４０５−ｂは、図３のセカンダリｅノードＢ３０５−ｂ、図５のＳｅノードＢ５０５−ｂ、図６のＳｅノードＢ６０５−ｂ、または図８のネットワークエンティティ８０５−ｂなどの一例であり得、および／あるいはＥＰＣ４８０は、図１のコアネットワークの一例であり得る。図４中のｅノードＢ４０５−ａおよび／または４０５−ｂは、互いにコロケートされないことがあるか、またはさもなければ高速通信していないことがある。さらに、一例では、ｅノードＢ４０５−ａおよび４０５−ｂは、異なるＥＰＣ４８０と通信し得る。
【００４７】
[0058]再び図４を参照すると、ｅノードＢ４０５−ａおよびｅノードＢ４０５−ｂは、（たとえば、１つまたは複数のｅノードＢを用いた）１つまたは複数のＬＴＥコンポーネントキャリアのアグリゲーションを使用して、ＵＥ４１５にＰＤＮ４４０へのアクセスを与えることが可能であり得る。したがって、ＵＥ４１５は、デュアル接続性でのキャリアアグリゲーションを伴い得、ここで、一方の接続は１つのネットワークエンティティ（ｅノードＢ４０５−ａ）に対してであり、他方の接続は異なるネットワークエンティティ（ｅノードＢ４０５−ｂ）に対してである。ＵＥ４１５は、複数のノードＢを用いた多重接続性ワイヤレス通信、ｅノードＢの複数のセルを用いたキャリアアグリゲーションなどを与えるために、ＥＰＣ４８０を横断してＰＤＮ４４０にアクセスするかまたは横断せずにＰＤＮ４４０にアクセスする追加の通信データ経路４４５、４５０を介して、追加のｅノードＢ４０５−ａおよび／または４０５−ｂと通信することができることを諒解されたい。ＰＤＮ４４０へのこのアクセスを使用して、ＵＥ４１５はピアエンティティ４５５と通信し得る。ｅノードＢ４０５−ａおよび／または４０５−ｂは、（たとえば、データ経路４４５を通して）ＥＰＣ４８０を通してＰＤＮ４４０へのアクセスを与え得、ｅノードＢ４０５−ｂは、（たとえば、データ経路４５０を通して）ＰＤＮ４４０への直接アクセスを与え得る。図４の図示された例では、ＵＥ４１５は、ｅノードＢ固有のベアラを介して、ＭｅノードＢとしてのｅノードＢ４０５−ａおよびＳｅノードＢとしてのｅノードＢ４０５−ｂと通信することができる。一例では、ｅノードＢ４０５−ａおよび４０５−ｂは、ＥＰＣ４８０に与えるためのＵＥ４１５通信をアグリゲートするために、Ｘ２接続４３８を介して互いに通信することができる。この例では、ＵＥ４１５は、ＰＤＮ４４０にアクセスするためのデータ経路４４５および４５０を介した通信をマッピングすることができる、ｅノードＢ４０５−ａおよび／またはセカンダリｅノードＢ４０５−ｂを用いたベアラを使用することによって、ＰＤＮ４４０にアクセスすることができる。その上、この例では、ＭｅノードＢ４０５−ａは、ＵＥ４１５に、非アクセス層（ＮＡＳ：non-access stratum）セキュリティ、ＮＡＳモビリティ機能などを含むＮＡＳ機能など、ＵＥ固有上位レイヤ機能を与えることができる。さらに、この例では、ＳｅノードＢ４０５−ｂは、ＳＣＧのためにＰＵＣＣＨを搬送し、ＳＣＧのために他のＰＣｅｌｌ同様の下位レイヤ機能を与えることができる。したがって、ＵＥ４１５は、独立して、ＭｅノードＢ４０５−ａおよびＳｅノードＢ４０５−ｂと通信することができる。
【００４８】
[0059]ＭＭＥ４３０は、ＵＥ４１５とＥＰＣ４８０との間のシグナリングを処理する制御ノードであり得る。ＭＭＥ４３０はベアラおよび接続管理を行い得る。ＭＭＥ４３０は、したがって、ＵＥ４１５のためにアイドルモードＵＥトラッキングおよびページングと、ベアラアクティブ化および非アクティブ化と、ＳＧＷ選択とを担当し得る。ＭＭＥ４３０は、Ｓ１−ＭＭＥインターフェースを介してｅノードＢ４０５−ａおよび／または４０５−ｂと通信し得る。ＭＭＥ４３０は、ＵＥ４１５をさらに認証し、ＵＥ４１５との非アクセス層（ＮＡＳ）シグナリングを実装し得る。
【００４９】
[0060]ＨＳＳ４３５は、機能の中でも、加入者データを記憶し、ローミング制限を管理し、加入者のためのアクセス可能アクセスポイント名（ＡＰＮ：access point name）を管理し、加入者をＭＭＥ４３０に関連付け得る。ＨＳＳ４３５は、３ＧＰＰ団体によって規格化された発展型パケットシステム（ＥＰＳ）アーキテクチャによって定義されたＳ６ａインターフェースを介してＭＭＥ４３０と通信し得る。
【００５０】
[0061]ＬＴＥを介して送信されるすべてのユーザＩＰパケットは、ｅノードＢ４０５−ａおよび／または４０５−ｂを通してＳＧＷ４３２に転送され得、ＳＧＷ４３２は、Ｓ５シグナリングインターフェースを介してＰＧＷ４３４に接続され、Ｓ１１シグナリングインターフェースを介してＭＭＥ４３０に接続され得る。ＳＧＷ４３２は、ユーザプレーン中に存在し、ｅノードＢ間ハンドオーバと、異なるアクセス技術間のハンドオーバとのためのモビリティアンカーとして働き得る。ＰＧＷ４３４はＵＥのＩＰアドレス割振りならびに他の機能を与え得る。
【００５１】
[0062]ＰＧＷ４３４は、ＳＧｉシグナリングインターフェースを介して、ＰＤＮ４４０など、１つまたは複数の外部パケットデータネットワークへの接続性を与え得る。ＰＤＮ４４０は、インターネット、イントラネット、ＩＰマルチメディアサブシステム（ＩＭＳ：IP Multimedia Subsystem）、パケット交換（ＰＳ：Packet-Switched）ストリーミングサービス（ＰＳＳ：PS Streaming Service）、および／または他のタイプのＰＤＮを含み得る。
【００５２】
[0063]本例では、ＵＥ４１５とＥＰＣ４８０との間のユーザプレーンデータは、トラフィックがＬＴＥリンクのデータ経路４４５を介して流れるのか、データ経路４５０を介して流れるのかにかかわらず、１つまたは複数のＥＰＳベアラの同じセットを横断し得る。１つまたは複数のＥＰＳベアラのセットに関係するシグナリングまたは制御プレーンデータは、ｅノードＢ４０５−ａおよび／または４０５−ｂを経由して、ＵＥ４１５のＬＴＥ無線機４２０とＥＰＣ４８０のＭＭＥ４３０との間で送信され得る。
【００５３】
[0064]図４の態様についてＬＴＥに関して説明したが、アグリゲーションおよび／または多重接続に関する同様の態様はまた、ＵＭＴＳあるいは他の同様のシステムまたはネットワークワイヤレス通信無線技術に関して実装され得る。
【００５４】
[0065]図５は、本開示の一態様による、多重接続性キャリアアグリゲーションを概念的に示す図である。ワイヤレス通信システム５００が、ＵＥ５１５をサービスするように構成され得る、マスタセルグループまたはＭＣＧ（またはＰＣＧ）と呼ばれるセルのセットまたはグループを有するマスタｅノードＢ５０５−ａ（ＭｅノードＢまたはＭｅＮＢ）を含み得る。ＭＣＧは、１つのプライマリセル（ＰＣｅｌｌMCG）５１０−ａと、１つまたは複数のセカンダリセル５１０−ｂ（１つのみが示されている）とを含み得る。ワイヤレス通信システム５００はまた、ＵＥ５１５をサービスするように構成され得る、セカンダリセルグループまたはＳＣＧと呼ばれるセルのセットまたはグループを有するセカンダリｅノードＢ５０５−ｂ（ＳｅノードＢまたはＳｅＮＢ）を含み得る。ＳＣＧは、１つのプライマリセル（ＰＣｅｌｌSCG）５１２−ａと、１つまたは複数のセカンダリセル５１２−ｂ（１つのみが示されている）とを含み得る。また、多重接続性ワイヤレス通信（たとえば、デュアル接続性）のためにキャリアアグリゲーションをサポートするＵＥ５１５が示されている。ＵＥ５１５は、通信リンク５２５−ａを介してＭｅノードＢ５０５−ａ、または関係するＰＣｅｌｌMCGと通信し、通信リンク５２５−ｂを介してＳｅノードＢ５０５−ｂ、または関係するＰＣｅｌｌSCGと通信し得る。ＵＥ５１５は、本明細書で説明するように、並列送信がＣＣ上でサポートされるかどうかを決定することに少なくとも部分的に基づいて、ＣＣ上で制御チャネルおよび／またはデータチャネルを送信するための通信コンポーネント６４０を含むことができる。ｅノードＢ５０５−ａおよび／または５０５−ｂは、本明細書で説明するように、１つまたは複数のＵＥ５１５のためのＣＣ構成を生成するための通信コンポーネント８４０を含み得る。
【００５５】
[0066]一例では、ＵＥ５１５は、同じｅノードＢからのコンポーネントキャリアをアグリゲートし得るか、あるいはコロケートされたまたはコロケートされないｅノードＢからのコンポーネントキャリアをアグリゲートし得る。そのような例では、使用されている様々なセル（たとえば、異なるコンポーネントキャリア（ＣＣ））は、それらが、同じｅノードＢによって扱われるか、または制御情報を通信することができるｅノードＢによって扱われるかのいずれかであるので、容易に協調させられ得る。ＵＥ５１５が、図５の例の場合のように、コロケートされない２つのｅノードＢと通信しているときにキャリアアグリゲーションを実行するとき、キャリアアグリゲーション動作は、様々なネットワーク状態により異なり得る。この場合、セカンダリｅノードＢ５０５−ｂにおいてプライマリセル（ＰＣｅｌｌSCG）を確立することは、セカンダリｅノードＢ５０５−ｂがプライマリｅノードＢ５０５−ａとコロケートされなくても、ＵＥ５１５において行われるべき適切な構成および制御を可能にし得る。
【００５６】
[0067]図５の例では、キャリアアグリゲーションは、ＭｅノードＢ５０５−ａのＰＣｅｌｌMCGによるいくつかの機能を伴い得る。たとえば、ＰＣｅｌｌMCGは、いくつかの例を挙げれば、物理アップリンク制御チャネル（ＰＵＣＣＨ）、競合ベースランダムアクセス制御チャネル（ＲＡＣＨ）、および半永続的スケジューリングなど、いくつかの機能を扱い得る。コロケートされないｅノードＢへのデュアル接続性ワイヤレス通信または多重接続性ワイヤレス通信を用いたキャリアアグリゲーションは、キャリアアグリゲーションが他の方法で実行される様式に対していくつかの拡張および／または変更を行わなければならないことを伴い得る。拡張および／または変更のうちのいくつかは、上記で説明したように、ＵＥ５１５がＭｅノードＢ５０５−ａとＳｅノードＢ５０５−ｂとに接続されることを伴い得る。他の特徴は、たとえば、タイマー調整グループ（ＴＡＧ）にｅノードＢのうちの１つのセルを備えさせること、ＳｅノードＢ５０５−ｂ上で可能にされる競合ベースおよび競合なしランダムアクセス（ＲＡ）と、ＭｅノードＢ５０５−ａのためのおよびＳｅノードＢ５０５−ｂに対する別個の間欠受信（ＤＲＸ）プロシージャとを有すること、ＵＥ５１５に、バッファステータス報告（ＢＳＲ）を１つまたは複数のベアラ（たとえば、ｅノードＢ固有ベアラまたはスプリットベアラ）がサービスされるｅノードＢに送らせること、ならびにセカンダリｅノードＢ５０５−ｂ中のＰＣｅｌｌSCGに関して電力ヘッドルーム報告（ＰＨＲ）、電力制御、半永続的スケジューリング（ＳＰＳ）、および論理チャネル優先度付けのうちの１つまたは複数を可能にすることを含み得る。上記で説明した拡張および／または変更、および本開示で与えられる他のものとしてのウェルは、限定ではなく例示のためであることが意図される。
【００５７】
[0068]デュアル接続性におけるキャリアアグリゲーションのために、異なる機能はＭｅノードＢ５０５−ａとＳｅノードＢ５０５−ｂとの間で分割され得る。たとえば、異なる機能は、ＭｅノードＢ５０５−ａとＳｅノードＢ５０５−ｂとの間で静的に分割されるか、または１つまたは複数のネットワークパラメータに基づいてＭｅノードＢ５０５−ａとＳｅノードＢ５０５−ｂとの間で動的に分割され得る。一例では、ＭｅノードＢ５０５−ａは、ＰＣｅｌｌMCGを介して、限定はしないが、初期構成、セキュリティ、システム情報、および／または無線リンク障害（ＲＬＦ）に関する機能など、（たとえば、メディアアクセス制御（ＭＡＣ）レイヤの上の）上位レイヤ機能を実行し得る。図５の例において説明するように、ＰＣｅｌｌMCGは、ＭＣＧに属するＭｅノードＢ５０５−ａのセルのうちの１つとして構成され得る。ＰＣｅｌｌMCGは、ＭＣＧ内の下位レイヤ機能（たとえば、ＭＡＣ／ＰＨＹレイヤ）を与えるように構成され得る。
【００５８】
[0069]一例では、ＳｅノードＢ５０５−ｂは、ＳＣＧのための下位レイヤ機能（たとえば、ＭＡＣ／ＰＨＹレイヤ）の構成情報を与え得る。構成情報は、たとえば、１つまたは複数の無線リソース制御（ＲＲＣ）メッセージとしてＰＣｅｌｌSCGによって与えられ得る。ＰＣｅｌｌSCGは、ＳＣＧ中のセルの間で最低セルインデックス（たとえば、識別子またはＩＤ）を有するように構成され得る。たとえば、ＰＣｅｌｌSCGを介してＳｅノードＢ５０５−ｂによって実行される機能のうちのいくつかは、ＰＵＣＣＨを搬送すること、ＰＣｅｌｌSCGのＤＲＸ構成に従うようにＳＣＧ中のセルを構成すること、ＳｅノードＢ５０５−ｂ上の競合ベースおよび競合なしランダムアクセスのためのリソースを構成する、ＰＵＣＣＨのための送信電力制御（ＴＰＣ）コマンドを有するダウンリンク（ＤＬ）許可を搬送すること、ＳＣＧ中の他のセルのためのＰＣｅｌｌSCGに基づいて経路損失を推定すること、ＳＣＧに共通探索空間を与えること、ならびにＵＥ５１５にＳＰＳ構成情報を与えることを含み得る。
【００５９】
[0070]いくつかの態様では、ＰＣｅｌｌMCGは、たとえば、セキュリティ、ネットワークへの接続、初期接続、および／または無線リンク障害などの上位レベル機能をＵＥ５１５に与えるように構成され得る。ＰＣｅｌｌMCGは、ＭＣＧ中のセルのための物理アップリンク制御チャネル（ＰＵＣＣＨ）を搬送すること、ＭＣＧの間で最低セルインデックスを含むこと、ＭＣＧセルが同じ間欠受信（ＤＲＸ）構成を有することを可能にすること、ＭｅノードＢ５０５−ａ上で競合ベースランダムアクセスと競合なしランダムアクセスの一方または両方のためのランダムアクセスリソースを構成すること、ダウンリンク許可がＰＵＣＣＨのための送信電力制御（ＴＰＣ）コマンドを搬送することを可能にすること、ＭＣＧ中のセルのための経路損失推定を可能にすること、ＭｅノードＢ５０５−ａのための共通探索空間を構成すること、および／あるいは半永続的スケジューリングを構成することを行うように構成され得る。
【００６０】
[0071]いくつかの態様では、ＰＣｅｌｌSCGは、ＳＣＧ中のセルのためのＰＵＣＣＨを搬送すること、ＳＣＧの間で最低セルインデックスを含むこと、ＳＣＧセルが同じＤＲＸ構成を有することを可能にすること、ＳｅノードＢ５０５−ｂ上で競合ベースランダムアクセスと競合なしランダムアクセスの一方または両方のためのランダムアクセスリソースを構成すること、ダウンリンク許可がＰＵＣＣＨのためのＴＰＣコマンドを搬送することを可能にすること、ＳＣＧ中のセルのための経路損失推定を可能にすること、ＳｅノードＢ５０５−ｂのための共通探索空間を構成すること、および／あるいは半永続的スケジューリングを構成することを行うように構成され得る。
【００６１】
[0072]図５の例に戻ると、ＵＥ５１５は、ＭｅノードＢ５０５−ａおよび／またはＳｅノードＢ５０５−ｂのための並列ＰＵＣＣＨおよび物理アップリンク共有チャネル（ＰＵＳＣＨ）構成をサポートし得るが、ＵＥ５１５は、本明細書でさらに説明するように、所与のキャリアのための構成に基づいて、そのキャリア上でのＰＵＣＣＨおよびＰＵＳＣＨのための並列送信を与えることが可能でないことがある。場合によっては、ＵＥ５１５は、両方のキャリアグループに適用可能であり得る（たとえば、ＵＥ５１５ベースの）構成を使用し得る。これらのＰＵＣＣＨ／ＰＵＳＣＨ構成は、たとえば、ＲＲＣメッセージを通して与えられ得る。
【００６２】
[0073]ＵＥ５１５はまた、ＭｅノードＢ５０５−ａおよびＳｅノードＢ５０５−ｂについて、肯定応答（ＡＣＫ）／否定応答（ＮＡＣＫ）およびチャネル品質インジケータ（ＣＱＩ）の同時送信のための、およびＡＣＫ／ＮＡＣＫ／サウンディング基準信号（ＳＲＳ）のための並列構成をサポートし得る。場合によっては、ＵＥ５１５は、両方のキャリアグループに適用可能であり得る（たとえば、ＵＥベースのおよび／あるいはＭＣＧまたはＳＣＧベースの）構成を使用し得る。これらの構成は、たとえば、ＲＲＣメッセージを通して与えられ得る。
【００６３】
[0074]図６は、本開示の一態様に従って構成されたＵＥ６１５およびコンポーネントの一例を概念的に示すブロック図６００である。本明細書において図６と併せて説明する図７に、本開示の態様による例示的な方法７００を示す。図７において以下で説明する動作は、特定の順序でおよび／または例示的なコンポーネントによって実行されるものとして提示されるが、アクションの順序およびアクションを実行するコンポーネントは、実装形態に応じて変更され得ることを理解されたい。その上、以下のアクションまたは機能は、特別にプログラムされたプロセッサ、特別にプログラムされたソフトウェアまたはコンピュータ可読媒体を実行するプロセッサによって、あるいは説明するアクションまたは機能を実施することが可能なハードウェアコンポーネントおよび／またはソフトウェアコンポーネントの任意の他の組合せによって実施され得ることを理解されたい。
【００６４】
[0075]図６を参照すると、図６００の基地局／ｅノードＢ６０５−ａ（ＰＣｅｌｌMCGをもつＭｅノードＢ）、随意の基地局／ｅノードＢ６０５−ｂ（ＰＣｅｌｌSCGをもつＳｅノードＢ）、およびＵＥ６１５は、様々な図に記載されている基地局／ｅノードＢ（またはＡＰ）およびＵＥのうちの１つであり得る。ＭｅノードＢ６０５−ａ、またはそれに関係するＰＣｅｌｌMCG、およびＵＥ６１５は、１つまたは複数のキャリア（たとえば、ＣＡにおいて構成された複数のキャリア）を含み得る、第１の通信リンク６２５−ａ上で通信し得る。ＳｅノードＢ６０５−ｂ、またはそれに関係するＰＣｅｌｌSCG、およびＵＥ６１５は、第２の通信リンク６２５−ｂを介して通信し得る。ＵＥ６１５は、ＭｅノードＢ６０５−ａおよび／またはＳｅノードＢ６０５−ｂを用いて１つまたは複数のキャリア上で制御チャネルおよび／またはデータチャネルを送信するように構成され得る。
【００６５】
[0076]一態様では、ＭｅノードＢ６０５−ａおよびＵＥ６１５（および／またはＳｅノードＢ６０５−ｂおよびＵＥ６１５）は、構成された通信リソース上でＭｅノードＢ６０５−ａ（および／またはＳｅノードＢ６０５−ｂ）からＵＥ６１５に（たとえば、シグナリングにおいて）制御および／またはデータメッセージを通信するために、ＭｅノードＢ６０５−ａ（および／またはＳｅノードＢ６０５−ｂ）によって送信され、（たとえば、トランシーバ６０６を介して）ＵＥ６１５によって受信され得る、ダウンリンク信号を通信するために、通信リンク６２５−ａ（および／または６２５−ｂ）上で１つまたは複数のダウンリンクチャネルを確立していることがある。その上、たとえば、ＭｅノードＢ６０５−ａおよびＵＥ６１５（および／またはＳｅノードＢ６０５−ｂおよびＵＥ６１５）は、構成された通信リソース上でＵＥ６１５からＭｅノードＢ６０５−ａ（および／またはＳｅノードＢ６０５−ｂ）に（たとえば、シグナリングにおいて）制御および／またはデータメッセージを通信するために、（たとえば、トランシーバ６０６を介して）ＵＥ６１５によって送信され、ＭｅノードＢ６０５−ａ（および／またはＳｅノードＢ６０５−ｂ）によって受信され得る、アップリンク信号を通信するために、通信リンク６２５−ａ（および／または６２５−ｂ）上で１つまたは複数のアップリンクチャネルを確立していることがある。一例では、通信リンク６２５−ａ（および／または６２５−ｂ）は、複数のアグリゲートされたＣＣを含み得る。
【００６６】
[0077]一態様では、ＵＥ６１５は、１つまたは複数のプロセッサ６０３および／またはメモリ６０９を含み得、１つまたは複数のプロセッサ６０３および／またはメモリ６０９は、たとえば、１つまたは複数のバス６０７を介して通信可能に結合され得、並列送信が、ＣＣ上でサポートされるかどうかを決定することに少なくとも部分的に基づいて、ＣＣ上で制御チャネルおよび／またはデータチャネルを送信するための通信コンポーネント６４０とともに動作するか、またはさもなければ通信コンポーネント６４０を実装し得る。たとえば、通信コンポーネント６４０に関係する様々な動作は、１つまたは複数のプロセッサ６０３によって実装されるかまたはさもなければ実行され得、一態様では、単一のプロセッサによって実行され得るが、他の態様では、それらの動作のうちの異なるものが、２つまたはそれ以上の異なるプロセッサの組合せによって実行され得る。たとえば、一態様では、１つまたは複数のプロセッサ６０３は、モデムプロセッサ、またはベースバンドプロセッサ、またはデジタル信号プロセッサ、または特定用途向け集積回路（ＡＳＩＣ）、または送信プロセッサ、受信プロセッサ、またはトランシーバ６０６に関連するトランシーバプロセッサのいずれか１つまたは任意の組合せを含み得る。さらに、たとえば、メモリ６０９は、限定はしないが、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、磁気ストレージデバイス（たとえば、ハードディスク、フロッピー（登録商標）ディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、レジスタ、リムーバブルディスク、ならびにコンピュータまたは１つまたは複数のプロセッサ６０３によってアクセスされ、読み取られ得るソフトウェアおよび／またはコンピュータ可読コードまたは命令を記憶するための任意の他の好適な媒体を含む非一時的コンピュータ可読媒体であり得る。その上、メモリ６０９またはコンピュータ可読記憶媒体は、１つまたは複数のプロセッサ６０３中に存在する、１つまたは複数のプロセッサ６０３の外部にある、１つまたは複数のプロセッサ６０３を含む複数のエンティティにわたって分散させられる、などであり得る。
【００６７】
[0078]特に、１つまたは複数のプロセッサ６０３および／またはメモリ６０９は、通信コンポーネント６４０またはそれの副コンポーネントによって定義されたアクションまたは動作を実行し得る。たとえば、１つまたは複数のプロセッサ６０３および／またはメモリ６０９は、（１つまたは複数の）通信リンク６２５−ａおよび／または６２５−ｂ上での並列送信のための制御およびデータチャネルを構成すべきかどうかを決定するためのチャネル構成コンポーネント６５０によって定義されたアクションまたは動作を実行し得る。一態様では、たとえば、チャネル構成コンポーネント６５０は、ハードウェア（たとえば、１つまたは複数のプロセッサ６０３の１つまたは複数のプロセッサモジュール）、および／あるいはメモリ６０９に記憶され、本明細書で説明する特別に構成されたチャネル構成動作を実行するために１つまたは複数のプロセッサ６０３のうちの少なくとも１つによって実行可能なコンピュータ可読コードまたは命令を含み得る。
【００６８】
[0079]トランシーバ６０６は、１つまたは複数のアンテナ、ＲＦフロントエンド、１つまたは複数の送信機、および１つまたは複数の受信機（図示せず）を通してワイヤレス信号を送信および受信するように構成され得ることを諒解されたい。一態様では、トランシーバ６０６は、ＵＥ６１５および／またはｅノードＢ６０５−ａ（および／または６０５−ｂ）が、ある周波数において通信することができるように、１つまたは複数の指定された周波数において動作するように同調させられ得る。一態様では、１つまたは複数のプロセッサ６０３は、関係するアップリンクまたはダウンリンク通信チャネル上でアップリンク信号および／またはダウンリンク信号を通信するために、構成、通信プロトコルなどに基づいて、指定された周波数および電力レベルにおいて動作するようにトランシーバ６０６を構成し得る。
【００６９】
[0080]一態様では、トランシーバ６０６は、トランシーバ６０６を使用して送信および受信されたデジタルデータを処理するように、（たとえば、図示されていないマルチバンドマルチモードモデムを使用して）複数の帯域において動作することができる。一態様では、トランシーバ６０６は、マルチバンドであり、特定の通信プロトコルのための複数の周波数帯域をサポートするように構成され得る。一態様では、トランシーバ６０６は、複数の動作ネットワークおよび通信プロトコルをサポートするように構成され得る。したがって、たとえば、トランシーバ６０６は、指定されたモデム構成に基づく信号の送信および／または受信を可能にし得る。
【００７０】
[0081]図７に、少なくとも１つのＣＣ上で制御チャネルおよび／またはデータチャネルを（たとえば、ＵＥによって）送信するための例示的な方法７００を示す。方法７００は、ブロック７１０において、１つまたは複数のセルによって構成された複数のＣＣのための構成情報を取得することを含む。通信コンポーネント６４０（図６）は、１つまたは複数のセルによって構成された複数のＣＣのための構成情報を取得することができる。たとえば、ＭｅノードＢ６０５−ａは、１つまたは複数のセルを与えることができ、１つまたは複数のセル上でＣＡにおいてＵＥ６１５と通信するための複数のＣＣを構成することができる。この例では、ＵＥ６１５が、ＭｅノードＢ６０５−ａに通信リンク６２５−ａの複数のＣＣに関係する制御データをそれの上で通信することができる、ＵＥ６１５のためのＰＣＣ（またはＰＣｅｌｌ）として、あるＣＣが割り当てられ得る。別の例では、多重接続性では、ＳｅノードＢ６０５−ｂは、１つまたは複数の追加のセルを与えることができ、１つまたは複数の追加のセル上でＣＡにおいてＵＥ６１５と通信するための複数のＣＣを構成することができる。同様に、この例では、ＵＥ６１５が、ＳｅノードＢ６０５−ｂに通信リンク６２５−ｂの１つまたは複数の追加のＣＣに関係する制御データをそれの上で通信することができる、ＵＥ６１５のためのＰＣＣとして、あるＣＣが割り当てられ得る。
【００７１】
[0082]特定の例では、ＬＴＥ  ＣＡでは、ＭｅノードＢ６０５−ａは、ＰＵＣＣＨを搬送することができるＰＣＣを含む、最高５つのＣＣを用いてＵＥ６１５を構成することができる。デュアル接続性では、たとえば、ＭｅノードＢ６０５−ａおよびＳｅノードＢ６０５−ｂは、ＭｅノードＢ６０５−ａとＳｅノードＢ６０５−ｂとの間の理想的でないバックホールの下で接続されたＣＣの２つのグループを与え、ここで、各グループ中のＣＣは、ＣＡの下で構成され得る（たとえば、理想的なバックホール接続）。デュアル接続性では、たとえば、ＭｅノードＢ６０５−ａおよびＳｅノードＢ６０５−ｂの各々は、アップリンク制御情報が、対応するＰＣｅｌｌ上で各グループのために別々に送信され得るように、ＰＣｅｌｌ（たとえば、それぞれＭｅノードＢ６０５−ａおよびＳｅノードＢ６０５−ｂのためのＰＣｅｌｌMCGおよびＰＣｅｌｌSCG）と呼ばれることがあるＰＣＣを与えることができる。
【００７２】
[0083]方法７００は、ブロック７１２において、１つまたは複数のセルを用いて制御チャネルおよびデータチャネルの並列送信を実行するようにとのインジケーションを受信することをさらに含む。チャネル構成コンポーネント６５０は、１つまたは複数のセルを用いて制御チャネルおよびデータチャネルの並列送信を実行するようにとのインジケーションを受信することができる。たとえば、チャネル構成コンポーネント６５０は、ＵＥ６１５によって記憶された構成からのインジケーション、（たとえば、ＭｅノードＢ６０５−ａを介して）１つまたは複数のネットワークエンティティから受信された構成、ＭｅノードＢ６０５−ａまたはＳｅノードＢ６０５−ｂからの構成などを受信することができる。したがって、たとえば、制御チャネルおよびデータチャネルの並列送信がサポートされるかどうかは、ＵＥ能力であり得る。特定の例では、ＬＴＥ  ＣＡでは、インジケーションは、ＵＥ６１５ベースバンドが、ＰＵＣＣＨおよびＰＵＳＣＨのコンカレント（たとえば、同時）送信をサポートするかどうかを示し得る、ＵＥ６１５において構成されたｓｉｍｕｌｔａｎｅｏｕｓＰＵＣＣＨ−ＰＵＳＣＨ−ｒ１０構成パラメータに関係し得る。いずれの場合も、インジケーションが受信された場合、ＵＥ６１５は、概して、制御チャネル（たとえば、ＰＵＣＣＨ）およびデータチャネル（たとえば、ＰＵＳＣＨ）の並列送信をサポートすることができるが、説明したように、１つのキャリアの構成に基づいて、そのキャリア上でそうすることを制限されることがある。さらに、一例では、チャネル構成コンポーネント６５０は、本明細書でさらに説明するように、ＵＥ６１５のためのＣＣを構成すること（たとえば、並列送信をサポートすることができるＣＣを構成すること）を可能にするために、構成パラメータをＭｅノードＢ６０５−ａおよび／またはＳｅノードＢ６０５−ｂに通信し得る。たとえば、ＬＴＥにおける多重接続性では、セルグループ（たとえば、ＭＣＧとＳＣＧとの）間の並列送信が、ＵＥ６１５によってサポートされ、これは、ＵＥ６１５によって構成されたｓｉｍｕｌｔａｎｅｏｕｓＰＵＣＣＨ−ＰＵＳＣＨ−ｒ１０構成パラメータとは無関係であり得る。
【００７３】
[0084]特定の例では、ＬＴＥでは、ＰＵＣＣＨおよびＰＵＳＣＨのコンカレント（たとえば、同時／並列）送信をサポートするＵＥは、ＰＵＳＣＨ上でチャネル状態情報（ＣＳＩ）を送信し、ＰＵＣＣＨ上で他の制御データを送信することができ、ここで、送信は並列に行われ得る。たとえば、所与のサブフレーム中に、スケジュールされたＰＵＳＣＨ送信がない場合、通信コンポーネント６４０は、ＰＵＣＣＨ上でＵＣＩを送信することができる。サブフレーム中に、スケジュールされた少なくとも１つのＰＵＳＣＨ送信があり、ＵＣＩが、スケジューリング要求（ＳＲ）のみ、ＡＣＫ／ＮＡＣＫのみ、ＳＲおよびＡＣＫ／ＮＡＣＫのみ、または周期ＣＳＩのみを含む場合、通信コンポーネント６４０は、ＰＵＣＣＨ上でＵＣＩを送信することができる。サブフレーム中に、スケジュールされた少なくとも１つのＰＵＳＣＨ送信があり、ＵＣＩが、周期ＣＳＩおよび別のＵＣＩタイプ（たとえば、ＳＲ、ＡＣＫ／ＮＡＣＫ、またはその両方）を含む場合、通信コンポーネント６４０は、１つのＰＵＳＣＨ  ＣＣ上に周期ＣＳＩをピギーバックし、ＰＵＣＣＨ上で残りのＵＣＩを送信することができる。チャネル構成コンポーネント６５０は、非周期ＣＳＩも、ＰＵＳＣＨ  ＣＣ上で送信されるようにトリガされたと決定すること、またはさもなければ最低ＣＣインデックスを有するＰＵＳＣＨ  ＣＣを決定することに少なくとも部分的に基づいて、周期ＣＳＩを送信するためのＰＵＳＣＨ  ＣＣを選択することができることを諒解されたい。たとえば、ＰＵＣＣＨおよびＰＵＳＣＨの同時送信がＬＴＥにおいてサポートされない場合、通信コンポーネント６４０は、サブフレーム中に送信のためにスケジュールされたＰＵＳＣＨがない場合、ＰＵＣＣＨ上でＵＣＩを送信することができるか、またはサブフレーム中に送信のためにスケジュールされたＰＵＳＣＨがある場合、ＰＵＳＣＨ送信にＵＣＩをピギーバックすることができる。後者の場合、チャネル構成コンポーネント６５０は、ＰＵＣＣＨおよびＰＵＳＣＨのコンカレント送信について説明したものと同様の基準に基づいて、ＰＵＳＣＨ  ＣＣを選択することができることを諒解されたい。
【００７４】
[0085]方法７００はまた、ブロック７１４において、並列送信が複数のＣＣのうちの少なくとも１つのＣＣ上でサポートされるかどうかを決定することを含む。チャネル構成コンポーネント６５０は、（たとえば、制御チャネルおよびデータチャネルの）並列送信が、複数のＣＣのうちの少なくとも１つのＣＣ上でサポートされるかどうかを決定することができる。たとえば、ＭｅノードＢ６０５−ａおよび／またはＳｅノードＢ６０５−ｂによって構成された１つまたは複数のＣＣは、ＣＣ上でのチャネルの並列送信をサポートしないことがあり、したがって、ＵＥ６１５は、ＣＣ上で並列に制御チャネルおよびデータチャネルを送信することが可能でないことがある。一例では、チャネル構成コンポーネント６５０は、１つまたは複数のＣＣに対応する、ＵＥ６１５において構成されたまたはネットワークエンティティなどによって受信された１つまたは複数のパラメータに基づいて、並列送信がサポートされるかどうかを決定し得る。さらに、チャネル構成コンポーネント６５０は、並列送信が、この点についてＰＣＣのためにサポートされるかどうかを決定し得る。たとえば、特定の例では、１つまたは複数のパラメータは、各ＣＣのために指定され得、ＵＥ６１５が、所与のＣＣのための不連続アップリンクリソース割振りをサポートするかどうかを示すことができる、ＬＴＥにおけるｎｏｎＣｏｎｔｉｇｕｏｕｓＵＬ−ＲＡ−ＷｉｔｈｉｎＣＣ−Ｉｎｆｏ−ｒ１０パラメータを含み得る。このパラメータの真値（たとえば、１）は、ＵＥ６１５が、ＣＣ上での不連続リソース割振りをサポートし、したがって、ＣＣ上でのＰＵＣＣＨおよびＰＵＳＣＨの並列送信をサポートすることができることを示し得、このパラメータの偽値（たとえば、０）は、ＵＥ６１５が、ＣＣ上での不連続リソース割振りをサポートせず、（たとえば、ｓｉｍｕｌｔａｎｅｏｕｓＰＵＣＣＨ−ＰＵＳＣＨ−ｒ１０パラメータ値にかかわらず）ＣＣ上でのＰＵＣＣＨおよびＰＵＳＣＨの並列送信をサポートすることができないことを示し得る。いずれの場合も、少なくとも１つのＣＣが、ＭｅノードＢ６０５−ａまたはＳｅノードＢ６０５−ｂによって構成されたＰＣＣである場合、ＵＥ６１５は、制御チャネルおよびデータチャネルの並列送信が、ＣＣ上でサポートされるかどうかに基づいて、所与の時間期間（たとえば、サブフレーム）においてＰＣＣ上で制御チャネルおよび／またはデータチャネルを送信すべきかどうかを決定し得る。
【００７５】
[0086]ブロック７１４における、並列送信が少なくとも１つのＣＣ上でサポートされる、またはサポートされないのいずれの場合も、方法７００は、ブロック７１６において、インジケーションと、並列送信がサポートされるかどうかを決定することとに少なくとも部分的に基づいて、少なくとも１つのＣＣ上で制御チャネルまたはデータチャネルのうちの少なくとも１つを送信することを随意に含み得る。通信コンポーネント６４０は、インジケーションと、並列送信がサポートされるかどうかを決定することとに少なくとも部分的に基づいて、少なくとも１つのＣＣ上で制御チャネルまたはデータチャネルのうちの少なくとも１つを送信することができる。たとえば、ＬＴＥでは、ＵＥ６１５は、（たとえば、ｓｉｍｕｌｔａｎｅｏｕｓＰＵＣＣＨ−ＰＵＳＣＨ−ｒ１０を介して）並列ＰＵＣＣＨおよびＰＵＳＣＨ送信のサポートを示し得るが、ＵＥ６１５は、（たとえば、ＣＣのためのｎｏｎＣｏｎｔｉｇｕｏｕｓＵＬ−ＲＡ−ＷｉｔｈｉｎＣＣ−Ｉｎｆｏ−ｒ１０値に基づいて）説明したように、異なる帯域の同じキャリア上で並列ＰＵＣＣＨおよびＰＵＳＣＨを実行することが可能でないことがある。したがって、一例では、チャネル構成コンポーネント６５０が、並列送信がＣＣ上でサポートされないと決定し、ＣＣが、ＭｅノードＢ６０５−ａまたはＳｅノードＢ６０５−ｂを用いてＰＣＣとして構成された場合、チャネル構成コンポーネント６５０は、ＵＥ６１５のための制御チャネルおよびデータチャネルの並列送信を無効にすることができ、通信コンポーネント６４０は、所与の時間期間（たとえば、サブフレーム）において通信リンク６２５−ａおよび／または６２５−ｂのＣＣ上でおよび／またはすべてのＣＣ上で制御チャネルまたはデータチャネルのいずれかを送信することができる。たとえば、通信コンポーネント６４０は、上記で説明したように、ＣＣ上で制御チャネルまたはデータチャネルを送信し得る（たとえば、データチャネルが利用可能でないとき、制御チャネルを送信する、データチャネルは利用可能であるが、制御チャネルが利用可能でないとき、データチャネルを送信する、データチャネルが利用可能であるとき、データチャネル上に制御データをピギーバックする、などであり得る）。一例では、通信コンポーネント６４０は、ＭｅノードＢ６０５−ａおよび／またはＳｅノードＢ６０５−ｂを用いて構成された別のＣＣ上で制御チャネルまたはデータチャネルのうちの他方の１つを送信し得る（たとえば、ただし、機能が無効にされるので、複数のＣＣ上で並列に制御チャネルおよびデータチャネルを送信しないことがある）。
【００７６】
[0087]別の例では、チャネル構成コンポーネント６５０が、並列送信がＣＣ上でサポートされないと決定し、ＣＣが、ＭｅノードＢ６０５−ａまたはＳｅノードＢ６０５−ｂを用いてＰＣＣとして構成された場合、チャネル構成コンポーネント６５０は、概して、他のＣＣ上での制御チャネルおよびデータチャネルの並列送信をサポートするようにチャネルを構成することができるが、制御チャネルまたはデータチャネルのうちの１つを含むようにＰＣＣ上での送信のためのチャネルを構成し得る。したがって、一例では、少なくとも１つのＣＣ上で制御チャネルまたはデータチャネルのうちの少なくとも１つを送信することは、ブロック７１８において、少なくとも１つのＣＣ上で制御チャネルを送信することなしにデータチャネルを送信することを随意に含み得る。たとえば、データチャネル（たとえば、ＰＵＳＣＨ）が、並列送信をサポートしないＣＣ上でのサブフレームにおける送信のためにスケジュールされた場合、チャネル構成コンポーネント６５０は、ＣＣ上での送信のためのデータチャネルを構成することができ、通信コンポーネント６４０は、上記で説明したように、制御チャネルを送信することなしにデータチャネルを送信することができる。これは、ＣＡにおいてＰＣＣ上で、多重接続性においてＭＣＧにおけるＰＣＣ上で、多重接続性においてＳＣＧにおけるＰＣＣ上で行われるなどであり得、ここで、チャネル構成コンポーネント６５０は、ＰＣＣが、並列送信をサポートしないと決定する。この例では、通信コンポーネント６４０は、（たとえば、非周期ＣＳＩを用いてまたはさもなければ最低ＣＣインデックスを有するデータチャネルにおいて制御データをピギーバックすることによって、）説明したように、データチャネル上で制御データの少なくとも一部分（たとえば、ＵＣＩ）を送信し得る。制御データは、ＰＣＣおよび／または関係するＣＣ（たとえば、多重接続性における同じセルグループ中のＳＣＣ）に関係し得る。しかしながら、データチャネルが送信のためにスケジュールされない場合、通信コンポーネント６４０は、制御データを含むＰＣＣ上での制御チャネルを送信することができる。
【００７７】
[0088]別の例では、少なくとも１つのＣＣ上で制御チャネルまたはデータチャネルのうちの少なくとも１つを送信することは、ブロック７２０において、少なくとも１つのＣＣ上で制御チャネルを送信することと、別のＣＣ上で第２のデータチャネルを送信することとを随意に含み得る。チャネル構成コンポーネント６５０は、少なくとも１つのＣＣ上での送信のための制御チャネルと、別のＣＣ上での送信のための第２のデータチャネルとを構成することができ、通信コンポーネント６４０は、少なくとも１つのＣＣ（たとえば、ＰＣＣ）上で制御チャネルを送信し得、ＭｅノードＢ６０５−ａまたはＳｅノードＢ６０５−ｂ用いて構成された別のＣＣ上で（たとえば、ＰＣＣのデータチャネル上でスケジュールされていることがあるデータを含む）第２のデータチャネルを送信し得、これらの送信は、並列に行われることも行われないこともある。たとえば、チャネル構成コンポーネント６５０は、（たとえば、多重接続性における同じまたは異なるセルグループの）ＳＣＣ上、別のセルグループのＰＣＣ上などでの送信のための第２のデータチャネルを構成することができる。
【００７８】
[0089]別の例では、ＭｅノードＢ６０５−ａおよび／またはＳｅノードＢ６０５−ｂが、ＵＥ６１５のＣＣ制限に気づいている場合（たとえば、ＭｅノードＢ６０５−ａおよび／またはＳｅノードＢ６０５−ｂが、ＣＣおよび関係するパラメータを構成する場合）、ＭｅノードＢ６０５−ａおよび／またはＳｅノードＢ６０５−ｂは、本明細書で説明するように、ＵＥ６１５のためのＰＣＣとして、並列チャネル送信をサポートしないＣＣを構成することを回避することができる。この点について、並列制御チャネルおよびデータチャネル送信は、ＰＣＣとして構成された（他のＣＣが並列チャネル送信をサポートする場合の）別のＣＣ上でサポートされ得る。この例では、ｅノードＢは、ＳＣＣが、一般に、データチャネル通信のために構成されるので、ＳＣＣとして、並列チャネル送信をサポートしないＣＣを構成し得、関係する制御情報は、ＰＣＣ上で搬送される。
【００７９】
[0090]別の例では、並列送信が、ブロック７１４において、少なくとも１つのＣＣ上でサポートされない場合、方法７００は、ブロック７２２において、少なくとも１つのＣＣの構成を無視／拒否することを随意に含み得る。たとえば、少なくとも１つのＣＣが、並列チャネル送信をサポートしないが、ＰＣＣとして構成された場合、チャネル構成コンポーネント６５０は、ＣＣが、ＭｅノードＢ６０５−ａまたはＳｅノードＢ６０５−ｂによって誤構成されたと決定し得る。この例では、チャネル構成コンポーネント６５０は、ＣＣ構成を無視または拒否し得る。たとえば、チャネル構成コンポーネント６５０は、この点について、ネットワークアクセスを要求するかまたは前のＣＣ構成を使用する、（並列制御およびデータチャネル送信が十分にサポートされ得ないので）ＣＣ構成が有効でないことをＭｅノードＢ６０５−ａまたはＳｅノードＢ６０５−ｂに示すことによってＣＣ構成を拒否する、無線リンク障害を宣言する、などであり得る。
【００８０】
[0091]図８は、本開示の一態様に従って構成されたネットワークエンティティ８０５−ａおよびコンポーネントの一例を概念的に示すブロック図８００である。本明細書において図８と併せて説明する図９に、本開示の態様による例示的な方法９００を示す。図９において以下で説明する動作は、特定の順序でおよび／または例示的なコンポーネントによって実行されるものとして提示されるが、アクションの順序およびアクションを実行するコンポーネントは、実装形態に応じて変更され得ることを理解されたい。その上、以下のアクションまたは機能は、特別にプログラムされたプロセッサ、特別にプログラムされたソフトウェアまたはコンピュータ可読媒体を実行するプロセッサによって、あるいは説明するアクションまたは機能を実施することが可能なハードウェアコンポーネントおよび／またはソフトウェアコンポーネントの任意の他の組合せによって実施され得ることを理解されたい。
【００８１】
[0092]図８を参照すると、図８００は、１つまたは複数の前に説明した基地局／ｅノードＢ（たとえば、ＰＣｅｌｌMCGをもつＭｅノードＢ６０５−ａ、ＰＣｅｌｌSCGをもつＳｅノードＢ、関係するセルなど）を含むことができる、ネットワークエンティティ８０５−ａおよび随意のネットワークエンティティ８０５−ｂ、または、ＵＥ８１５とともに、１つまたは複数の前に説明したＵＥ（たとえば、ＵＥ６１５）を含むことができる、他のネットワークエンティティを含む。ネットワークエンティティ８０５−ａおよびＵＥ８１５は、第１の通信リンク８２５−ａ上で通信し得、ネットワークエンティティ８０５−ｂ（存在する場合）およびＵＥ８１５は、第２の通信リンク８２５−ｂ上で通信し得る。ＵＥ８１５は、本明細書で説明するように、ネットワークエンティティ８０５−ａおよび／または８０５−ｂとの通信を優先させるように構成され得る。
【００８２】
[0093]一態様では、ネットワークエンティティ８０５−ａおよびＵＥ６１５は、構成された通信リソース上でネットワークエンティティ８０５−ａからＵＥ８１５に（たとえば、シグナリングにおいて）制御および／またはデータメッセージを通信するために、（たとえばトランシーバ８０６を介して）ネットワークエンティティ８０５−ａによって送信され、ＵＥ８１５によって受信され得る、ダウンリンク信号を通信するための通信リンク８２５−ａ上で１つまたは複数のダウンリンクチャネルを確立していることがある。その上、たとえば、ネットワークエンティティ８０５−ａおよびＵＥ８１５は、構成された通信リソース上でＵＥ８１５からネットワークエンティティ８０５−ａに（たとえば、シグナリングにおいて）制御および／またはデータメッセージを通信するために、ＵＥ８１５によって送信され、（たとえば、トランシーバ８０６を介して）ネットワークエンティティ８０５−ａによって受信され得る、アップリンク信号を通信するための通信リンク８２５−ａ上で１つまたは複数のアップリンクチャネルを確立していることがある。一例では、通信リンク６２５−ａは、複数のアグリゲートされたＣＣを含み得る。さらに、ネットワークエンティティ８０５−ｂおよびＵＥ８１５は、同様に、通信リンク８２５−ｂ上でアップリンクおよび／またはダウンリンクチャネルを確立していることがある。
【００８３】
[0094]一態様では、ネットワークエンティティ８０５−ａは、１つまたは複数のプロセッサ８０３および／またはメモリ８０９を含み得、１つまたは複数のプロセッサ８０３および／またはメモリ８０９は、たとえば、１つまたは複数のバス８０７を介して通信可能に結合され得、１つまたは複数のＵＥ８１５のためのＣＣ構成を生成するための通信コンポーネント８４０とともに動作するか、またはさもなければ通信コンポーネント８４０を実装し得る。たとえば、通信コンポーネント８４０に関係する様々な動作は、１つまたは複数のプロセッサ８０３によって実装されるかまたはさもなければ実行され得、一態様では、単一のプロセッサによって実行され得るが、他の態様では、それらの動作のうちの異なるものが、２つまたはそれ以上の異なるプロセッサの組合せによって実行され得る。たとえば、一態様では、１つまたは複数のプロセッサ８０３は、モデムプロセッサ、またはベースバンドプロセッサ、またはデジタル信号プロセッサ、または特定用途向け集積回路（ＡＳＩＣ）、または送信プロセッサ、受信プロセッサ、またはトランシーバ８０６に関連するトランシーバプロセッサのいずれか１つまたは任意の組合せを含み得る。さらに、たとえば、メモリ８０９は、限定はしないが、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、磁気ストレージデバイス（たとえば、ハードディスク、フロッピーディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、レジスタ、リムーバブルディスク、ならびにコンピュータまたは１つまたは複数のプロセッサ８０３によってアクセスされ、読み取られ得るソフトウェアおよび／またはコンピュータ可読コードまたは命令を記憶するための任意の他の好適な媒体を含む非一時的コンピュータ可読媒体であり得る。その上、メモリ８０９またはコンピュータ可読記憶媒体は、１つまたは複数のプロセッサ８０３中に存在する、１つまたは複数のプロセッサ８０３の外部にある、１つまたは複数のプロセッサ８０３を含む複数のエンティティにわたって分散させられる、などであり得る。
【００８４】
[0095]特に、１つまたは複数のプロセッサ８０３および／またはメモリ８０９は、通信コンポーネント８４０またはそれの副コンポーネントによって定義されたアクションまたは動作を実行し得る。たとえば、１つまたは複数のプロセッサ８０３および／またはメモリ８０９は、ＵＥ８１５が、ベースバンド上のおよび／または所与のＣＣのための並列チャネル送信をサポートするかどうかに関係する１つまたは複数のパラメータを取得するために、ＵＥチャネルパラメータコンポーネント８５０によって定義されたアクションまたは動作を実行し得る。一態様では、たとえば、ＵＥチャネルパラメータコンポーネント８５０は、ハードウェア（たとえば、１つまたは複数のプロセッサ８０３の１つまたは複数のプロセッサモジュール）、および／あるいはメモリ８０９に記憶され、本明細書で説明する特別に構成されたパラメータ取得動作を実行するために１つまたは複数のプロセッサ８０３のうちの少なくとも１つによって実行可能なコンピュータ可読コードまたは命令を含み得る。さらに、たとえば、１つまたは複数のプロセッサ８０３および／またはメモリ８０９は、１つまたは複数のＣＣのための構成を生成し、それをＵＥ８１５および／または別のネットワークエンティティ８０５−ｂに示すためにＣＣ構成コンポーネント８５２によって定義されたアクションまたは動作を実行し得る。一態様では、たとえば、ＣＣ構成コンポーネント８５２は、ハードウェア（たとえば、１つまたは複数のプロセッサ８０３の１つまたは複数のプロセッサモジュール）、および／あるいはメモリ８０９に記憶され、本明細書で説明する特別に構成されたＣＣ構成動作を実行するために１つまたは複数のプロセッサ８０３のうちの少なくとも１つによって実行可能なコンピュータ可読コードまたは命令を含み得る。
【００８５】
[0096]トランシーバ８０６は、１つまたは複数のアンテナ、ＲＦフロントエンド、１つまたは複数の送信機、および１つまたは複数の受信機（図示せず）を通してワイヤレス信号を送信および受信するように構成され得ることを諒解されたい。一態様では、トランシーバ８０６は、ＵＥ８１５および／またはネットワークエンティティ８０５−ａが、ある周波数において通信することができるように、１つまたは複数の指定された周波数において動作するように同調させられ得る。一態様では、１つまたは複数のプロセッサ８０３は、関係するアップリンクまたはダウンリンク通信チャネル上でアップリンク信号および／またはダウンリンク信号を通信するために、構成、通信プロトコルなどに基づいて、指定された周波数および電力レベルにおいて動作するようにトランシーバ８０６を構成し得る。
【００８６】
[0097]一態様では、トランシーバ８０６は、トランシーバ８０６を使用して送信および受信されたデジタルデータを処理するように、（たとえば、図示されていないマルチバンドマルチモードモデムを使用して）複数の帯域において動作することができる。一態様では、トランシーバ８０６は、マルチバンドであり、特定の通信プロトコルのための複数の周波数帯域をサポートするように構成され得る。一態様では、トランシーバ８０６は、複数の動作ネットワークおよび通信プロトコルをサポートするように構成され得る。したがって、たとえば、トランシーバ８０６は、指定されたモデム構成に基づく信号の送信および／または受信を可能にし得る。
【００８７】
[0098]さらに、ネットワークエンティティ８０５−ａは、バックホールリンク８３４上でネットワークエンティティ８０５−ｂと結合され得る。トランシーバ８０６はまた、ワイヤードまたはワイヤレスバックホール上でネットワークエンティティ８０５−ｂと通信するために動作可能であり得る。ネットワークエンティティ８０５−ｂは、説明を簡単にするために図８から省略され得る、ネットワークエンティティ８０５−ａと同様のコンポーネントを含み得ることを諒解されたい。
【００８８】
[0099]図９に、ＵＥのためのＣＣを（たとえば、ｅノードＢによって）構成するための例示的な方法９００を示す。方法９００は、ブロック９１０において、並列チャネル送信がサポートされるかどうかを示すＵＥのための構成情報を取得することを含む。ＵＥチャネルパラメータコンポーネント８５０（図８）は、並列チャネル送信がサポートされるかどうかを示すＵＥのための構成情報を取得することができる。たとえば、ＵＥチャネルパラメータコンポーネント８５０は、（たとえば、ネットワークプロビジョニングの一部として）ＵＥ８１５から、ネットワークエンティティ８０５−ａまたは他のネットワークコンポーネントにおいて記憶されたＵＥ８１５のための構成情報からなど、構成情報を取得することができる。説明したように、構成情報は、ＵＥがベースバンドにおける制御チャネルおよびデータチャネルのための並列チャネル送信をサポートするかどうか、ＵＥが所与のＣＣ上での並列チャネル送信をサポートするかどうかなどを示し得る。特定の例では、構成情報は、ＬＴＥにおいてＵＥ８１５によって／のために示されたｓｉｍｕｌｔａｎｅｏｕｓＰＵＣＣＨ−ＰＵＳＣＨ−ｒ１０またはｎｏｎＣｏｎｔｉｇｕｏｕｓＵＬ−ＲＡ−ＷｉｔｈｉｎＣＣ−Ｉｎｆｏ−ｒ１０パラメータのうちの１つまたは複数に関係し得る。
【００８９】
[00100]方法９００は、ブロック９１２において、並列チャネル送信がサポートされるかどうかに少なくとも部分的に基づいて、ＵＥのためのＣＣ構成を決定することをさらに含む。ＣＣ構成コンポーネント８５２は、並列チャネル送信がサポートされるかどうかに少なくとも部分的に基づいて、ＵＥのためのＣＣ構成を決定することができる。たとえば、ＣＣ構成コンポーネント８５２は、並列チャネル送信が、ベースバンド上でおよび／または所与のＣＣのためにＵＥ８１５によってサポートされるかどうかに少なくとも部分的に基づいて、ＵＥ８１５のための１つまたは複数のＣＣを選択することができる。たとえば、ＵＥチャネルパラメータコンポーネント８５０によって取得された構成情報が、ＵＥ８１５が、ベースバンド上の並列データチャネルおよび制御チャネル送信をサポートすることを示す場合、ＣＣ構成コンポーネント８５２は、ＵＥ８１５が、ＣＡまたは多重接続性におけるＵＥ８１５のためのＰＣＣとして割り当てるための並列チャネル送信をそれの上でサポートするＣＣを決定することができる。同様に、この点について、ＣＣ構成コンポーネント８５２は、ＵＥ８１５が、ＣＡまたは多重接続性におけるＵＥ８１５のためのＰＣＣとして並列チャネル送信をそれの上でサポートしないＣＣを割り当てることを回避することができる。この点について、説明したように、ＵＥ８１５は、それが、ベースバンド上の並列制御およびデータチャネル送信をサポートするように構成されるが、ＰＣＣ上で並列にチャネルを送信することができない状況を回避することができる。特定の例では、ＬＴＥでは、ＵＥチャネルパラメータコンポーネント８５０が、ＵＥ８１５のためのｓｉｍｕｌｔａｎｅｏｕｓＰＵＣＣＨ−ＰＵＳＣＨ−ｒ１０パラメータが、真に設定されたと決定した場合、ＣＣ構成コンポーネント８５２は、ＵＥ８１５におけるＣＣのためのｎｏｎＣｏｎｔｉｇｕｏｕｓＵＬ−ＲＡ−ＷｉｔｈｉｎＣＣ−Ｉｎｆｏ−ｒ１０も真に設定されたと決定することに少なくとも部分的に基づいて、ＵＥ８１５のためのＰＣＣとしてＣＣを構成することができる。同様に、ＣＣ構成コンポーネント８５２は、ＵＥ８１５におけるＣＣのためのｎｏｎＣｏｎｔｉｇｕｏｕｓＵＬ−ＲＡ−ＷｉｔｈｉｎＣＣ−Ｉｎｆｏ−ｒ１０も偽に設定された場合、ＵＥ８１５のためのＰＣＣとしてＣＣを構成することを回避することができる。
【００９０】
[00101]方法９００は、ブロック９１４において、ＣＣ構成をＵＥまたはネットワークエンティティに示すことをさらに含む。通信コンポーネント８４０は、ＣＣ構成をＵＥ８１５またはネットワークエンティティ８０５−ｂに示すことができる。したがって、一例では、ＵＥ８１５は、構成されたＣＣ上でネットワークエンティティ８０５−ａと通信することができる。その上、一例では、多重接続性では、ＣＣ構成コンポーネント８５２は、別のネットワークエンティティからＣＣを割り当てることを含む、ＵＥ８１５のためのＣＣ構成を決定することができ、したがって、通信コンポーネント８４０は、同様にバックホールリンク８３４上でネットワークエンティティ８０５−ｂにＣＣ構成を示す。これは、同様にＵＥ８１５とネットワークエンティティ８０５−ｂとの間の通信を可能にすることができ、ここで、通信コンポーネント８４０および／またはネットワークエンティティ８０５−ｂは、ネットワークエンティティ８０５−ｂを用いた追加のＣＣ構成をＵＥ８１５に通知し得る。
【００９１】
[00102]図１０に、２つの周波数帯域上での例示的なＣＣ構成１０００および１００２を示す。この例では、ＵＥ（たとえば、ＵＥ６１５または８１５）は、並列制御チャネルおよびデータチャネル送信をサポートし得るが、帯域１  １０１０上での並列送信をサポートしないことがあり（ここで、帯域１は第１のＣＣに対応する）、帯域２  １０１２上での並列送信をサポートすることがある（ここで、帯域２は第２のＣＣに対応する）。したがって、構成１０００の場合のように、帯域１  １０１０が、（ＰＣｅｌｌとも呼ばれる）アップリンクおよびダウンリンク通信のためのＰＣＣとして割り当てられ、帯域２  １０１２が、（ＳＣｅｌｌとも呼ばれる）アップリンクおよびダウンリンク通信のためのＳＣＣとして割り当てられた場合、ＵＥは、ＰＣＣ上に並列制御およびデータチャネル送信を構成することができない。この点について、説明したように、ＵＥは、完全に並列制御およびデータチャネル送信を（たとえば、チャネル構成コンポーネント６５０を介して）無効にするか、または複数のキャリアを使用して並列送信をサポートし続けることができる。いずれの場合も、たとえばＬＴＥでは、ＰＵＣＣＨまたはＰＵＳＣＨがＰＣＣ（帯域１  １０１０）上でサポートされ得、ＰＵＳＣＨがサポートされる場合、制御データは、一例では同様にＰＵＳＣＨ上で送信され得る。別の例では、ＵＥは、並列チャネル送信が帯域１  １０１０上でサポートされないが、ＰＣＣとして構成された帯域１  １０１０に基づいて、前に説明したように、帯域構成１０００を誤構成と見なし得、ＣＣ構成１０００を無視／拒否し得る。
【００９２】
[00103]帯域１  １０１０がＳＣＣとして構成され、帯域２  １０１２がＰＣＣとして構成される構成１００２では、ＵＥは、並列制御およびデータチャネル送信をサポートすることができる。この例では、ＵＥが帯域２  １０１２上での並列チャネル送信をサポートするので、帯域２  １０１２をＰＣＣとして構成することは、並列チャネル送信を可能にする。帯域１  １０１０は、ＳＣｅｌｌが、一般に、データチャネルを搬送し、制御チャネルを搬送しないので、並列チャネル送信をサポートする必要がないＳＣＣとして構成され得る。説明したように、一例では、ｅノードＢは、したがって、ＵＥが、帯域２  １０１２上での並列チャネル送信をサポートすることができると決定することに基づいて、および／またはＵＥが、帯域１  １０００上での並列チャネル送信をサポートすることができないと決定することに基づいて、帯域１  １０１０をＳＣＣとして構成し、帯域２  １０１２をＰＣＣとして構成することができる。
【００９３】
[00104]図１１は、本開示の一態様に従って構成された処理システム１１１４を採用する装置１１００のための例示的なハードウェア実装形態を概念的に示すブロック図である。処理システム１１１４は、通信コンポーネント１１４０を含む。一例では、装置１１００は、様々な図において説明するＵＥのうちの１つと同じまたは同様であり得るか、あるいはそれに含まれ得る。そのような例では、通信コンポーネント１１４０は、たとえば、ＵＥ６１５の通信コンポーネント６４０、ネットワークエンティティ８０５−ａの通信コンポーネント８４０などに対応し得る。この例では、図６および図８中の（１つまたは複数の）プロセッサ６０３、８０３に対応するかまたはそれを含み得る処理システム１１１４が、バス１１０２によって概略的に表されるバスアーキテクチャを用いて実装され得る。バス１１０２は、処理システム１１１４の特定の適用例および全体的な設計制約に応じて、任意の数の相互接続バスおよびブリッジを含み得る。バス１１０２は、プロセッサ１１０４によって概略的に表される１つまたは複数のプロセッサ（たとえば、中央処理ユニット（ＣＰＵ）、マイクロコントローラ、特定用途向け集積回路（ＡＳＩＣ）、フィールドプログラマブルゲートアレイ（ＦＰＧＡ））、およびコンピュータ可読媒体１１０６によって概略的に表されるコンピュータ可読媒体を含む様々な回路を互いにリンクする。一例では、コンピュータ可読媒体１１０６は、図６および図８中のメモリ６０９、８０９に対応し得るかまたはそれを含み得る。バス１１０２はまた、タイミングソース、周辺機器、電圧調整器、および電力管理回路など、様々な他の回路をリンクし得るが、これらの回路は当技術分野においてよく知られており、したがって、これ以上説明されない。バスインターフェース１１０８は、バス１１０２と、信号を受信または送信するための１つまたは複数のアンテナ１１２０に接続されたトランシーバ１１１０との間のインターフェースを与える。一例では、トランシーバ１１１０は、図６および図８中のトランシーバ６０６、８０６に対応し得るかまたはそれを含み得る。トランシーバ１１１０および１つまたは複数のアンテナ１１２０は、伝送媒体を介して（たとえば、オーバージエアで）様々な他の装置と通信するための機構を与える。装置の性質に応じて、ユーザインターフェース（ＵＩ）１１１２（たとえば、キーパッド、ディスプレイ、スピーカー、マイクロフォン、ジョイスティック）も与えられ得る。
【００９４】
[00105]プロセッサ１１０４は、バス１１０２を管理することと、コンピュータ可読媒体１１０６に記憶されたソフトウェアの実行を含む一般的な処理とを担当する。ソフトウェアは、プロセッサ１１０４によって実行されたとき、処理システム１１１４に、特定の装置のための本明細書で説明する様々な機能を実施させる。コンピュータ可読媒体１１０６はまた、ソフトウェアを実行するときにプロセッサ１１０４によって操作されるデータを記憶するために使用され得る。上記で説明した通信コンポーネント１１４０は、プロセッサ１１０４によって、またはコンピュータ可読媒体１１０６によって、またはプロセッサ１１０４とコンピュータ可読媒体１１０６の任意の組合せによって全体的にまたは部分的に実装され得る。
【００９５】
[00106]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００９６】
[00107]さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的なコンポーネント、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈されるべきではない。
【００９７】
[00108]本明細書の開示に関して説明した様々な例示的な論理ブロック、モジュール、および回路は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェアコンポーネント、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００９８】
[00109]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別コンポーネントとして存在し得る。
【００９９】
[00110]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピーディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【０１００】
[00111]本開示についての以上の説明は、いかなる当業者も本開示を作成または使用することができるようにするために提供したものである。本開示への様々な変更は当業者には容易に明らかになり、本明細書で定義された一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
以下に、本願出願の当初の特許請求の範囲に記載された発明を付記する。
［Ｃ１］
ワイヤレスネットワークにおいて複数のコンポーネントキャリア上で通信するための方法であって、
１つまたは複数のセルによって構成された前記複数のコンポーネントキャリアのための構成情報を取得することと、
前記１つまたは複数のセルを用いて制御チャネルおよびデータチャネルの並列送信を実行するようにとのインジケーションを受信することと、
前記並列送信が、前記複数のコンポーネントキャリアのうちの少なくとも１つのコンポーネントキャリア上でサポートされるかどうかを決定することと、
前記並列送信を実行するようにとの前記インジケーションに少なくとも部分的に基づいて、および前記並列送信が、前記少なくとも１つのコンポーネントキャリア上でサポートされるかどうかを決定することに少なくとも部分的に基づいて、前記少なくとも１つのコンポーネントキャリア上で前記制御チャネル、前記データチャネル、またはそれらの組合せのうちの少なくとも１つを送信することと
を備える、方法。
［Ｃ２］
前記制御チャネル、前記データチャネル、または前記それらの組合せのうちの少なくとも１つを送信することは、前記並列送信が、前記少なくとも１つのコンポーネントキャリア上でサポートされないと決定することに基づいて、前記制御チャネルまたは前記データチャネルのいずれかを送信することを備える、
［Ｃ１］に記載の方法。
［Ｃ３］
前記制御チャネル、前記データチャネル、または前記それらの組合せのうちの少なくとも１つを送信することは、前記並列送信が、前記少なくとも１つのコンポーネントキャリア上でサポートされないと決定することに基づいて、前記データチャネルを送信することを備え、前記データチャネル上で制御データを送信することをさらに備える、
［Ｃ１］に記載の方法。
［Ｃ４］
前記データチャネルが、前記少なくとも１つのコンポーネントキャリア上で送信されるようにスケジュールされないと決定することと、
前記複数のコンポーネントキャリアからの第２のコンポーネントキャリア上で第２のデータチャネルを識別することと
をさらに備え、送信することは、前記少なくとも１つのコンポーネントキャリア上で前記制御チャネルを送信することを備え、前記第２のコンポーネントキャリア上で前記第２のデータチャネルを送信することをさらに備える、
［Ｃ１］に記載の方法。
［Ｃ５］
前記第２のコンポーネントキャリア上で前記第２のデータチャネルを使用して制御データの少なくとも一部分を送信することをさらに備える、
［Ｃ４］に記載の方法。
［Ｃ６］
前記構成情報は、デュアル接続性において第１のセルグループおよび第２のセルグループ上で前記複数のコンポーネントキャリアを構成することに関係し、前記少なくとも１つのコンポーネントキャリアは、前記第１のセルグループまたは前記第２のセルグループのうちの１つのためのプライマリコンポーネントキャリアとして構成される、
［Ｃ１］に記載の方法。
［Ｃ７］
前記構成情報は、デュアル接続性において第１のセルグループおよび第２のセルグループ上で前記複数のコンポーネントキャリアを構成することに関係し、前記少なくとも１つのコンポーネントキャリアは、前記第１のセルグループまたは前記第２のセルグループのうちの１つのためのプライマリコンポーネントキャリアとして構成されることを禁止される、
［Ｃ１］に記載の方法。
［Ｃ８］
前記構成情報は、キャリアアグリゲーションにおいて第１のセルを用いて前記複数のコンポーネントキャリアを構成することに関係し、前記少なくとも１つのコンポーネントキャリアは、プライマリコンポーネントキャリアとして構成される、
［Ｃ１］に記載の方法。
［Ｃ９］
前記構成情報は、キャリアアグリゲーションにおいて第１のセルを用いて前記複数のコンポーネントキャリアを構成することに関係し、ここにおいて、前記少なくとも１つのコンポーネントキャリアが、プライマリコンポーネントキャリアとして構成されることを禁止される、
［Ｃ１］に記載の方法。
［Ｃ１０］
前記構成情報は、キャリアアグリゲーションにおいて第１のセルグループおよび第２のセルグループ上で前記複数のコンポーネントキャリアを構成することに関係し、前記少なくとも１つのコンポーネントキャリアは、前記第１のセルグループまたは前記第２のセルグループのうちの１つのためのプライマリコンポーネントキャリアとして構成される、
［Ｃ１］に記載の方法。
［Ｃ１１］
前記構成情報は、キャリアアグリゲーションにおいて第１のセルグループおよび第２のセルグループ上で前記複数のコンポーネントキャリアを構成することに関係し、前記少なくとも１つのコンポーネントキャリアは、前記第１のセルグループまたは前記第２のセルグループのうちの１つのためのプライマリコンポーネントキャリアとして構成されることを禁止される、
［Ｃ１］に記載の方法。
［Ｃ１２］
前記並列送信は、前記少なくとも１つのコンポーネントキャリア上でサポートされるかどうかを決定することは、不連続リソース割振りが、前記少なくとも１つのコンポーネントキャリア上でサポートされるかどうかを決定することを備える、
［Ｃ１］に記載の方法。
［Ｃ１３］
ワイヤレスネットワークにおいて複数のコンポーネントキャリア上で通信するためのユーザ機器であって、
トランシーバと、
前記ワイヤレスネットワークにおいて信号を通信するために、バスを介して前記トランシーバと通信可能に結合された少なくとも１つのプロセッサと、
前記バスを介して前記少なくとも１つのプロセッサおよび／または前記トランシーバと通信可能に結合されたメモリと
を備え、前記少なくとも１つのプロセッサおよび前記メモリは、
１つまたは複数のセルによって構成された前記複数のコンポーネントキャリアのための構成情報を取得することと、
前記１つまたは複数のセルを用いて制御チャネルおよびデータチャネルの並列送信を実行するようにとのインジケーションを受信することと、
前記並列送信が、前記複数のコンポーネントキャリアのうちの少なくとも１つのコンポーネントキャリア上でサポートされるかどうかを決定することと、
前記並列送信を実行するようにとの前記インジケーションに少なくとも部分的に基づいて、および前記並列送信が、前記少なくとも１つのコンポーネントキャリア上でサポートされるかどうかを決定することに少なくとも部分的に基づいて、前記少なくとも１つのコンポーネントキャリア上で前記制御チャネル、前記データチャネル、またはそれらの組合せのうちの少なくとも１つを送信することと
を行うように動作可能である、ユーザ機器。
［Ｃ１４］
前記少なくとも１つのプロセッサおよび前記メモリは、前記並列送信が、前記少なくとも１つのコンポーネントキャリア上でサポートされないと決定することに基づいて、前記制御チャネルまたは前記データチャネルのいずれかを送信するように動作可能である、
［Ｃ１３］に記載のユーザ機器。
［Ｃ１５］
前記少なくとも１つのプロセッサおよび前記メモリは、前記並列送信が、前記少なくとも１つのコンポーネントキャリア上でサポートされないと決定することに基づいて、前記データチャネルを送信するように動作可能であり、ここにおいて、前記少なくとも１つのプロセッサおよび前記メモリが、前記データチャネル上で制御データを送信するようにさらに動作可能である、
［Ｃ１３］に記載のユーザ機器。
［Ｃ１６］
前記少なくとも１つのプロセッサおよび前記メモリは、
前記データチャネルが、前記少なくとも１つのコンポーネントキャリア上で送信されるようにスケジュールされないと決定することと、
前記複数のコンポーネントキャリアからの第２のコンポーネントキャリア上で第２のデータチャネルを識別することと
を行うようにさらに動作可能であり、
前記少なくとも１つのプロセッサおよび前記メモリは、前記少なくとも１つのコンポーネントキャリア上で前記制御チャネルを送信するように動作可能であり、前記第２のコンポーネントキャリア上で前記第２のデータチャネルを送信するようにさらに動作可能である、
［Ｃ１３］に記載のユーザ機器。
［Ｃ１７］
前記少なくとも１つのプロセッサおよび前記メモリは、前記第２のコンポーネントキャリア上で前記第２のデータチャネルを使用して制御データの少なくとも一部分を送信するようにさらに動作可能である、
［Ｃ１６］に記載のユーザ機器。
［Ｃ１８］
前記構成情報は、デュアル接続性において第１のセルグループおよび第２のセルグループ上で前記複数のコンポーネントキャリアを構成することに関係し、前記少なくとも１つのコンポーネントキャリアは、前記第１のセルグループまたは前記第２のセルグループのうちの１つのためのプライマリコンポーネントキャリアとして構成される、
［Ｃ１３］に記載のユーザ機器。
［Ｃ１９］
前記構成情報は、デュアル接続性において第１のセルグループおよび第２のセルグループ上で前記複数のコンポーネントキャリアを構成することに関係し、前記少なくとも１つのコンポーネントキャリアは、前記第１のセルグループまたは前記第２のセルグループのうちの１つのためのプライマリコンポーネントキャリアとして構成されることを禁止される、
［Ｃ１３］に記載のユーザ機器。
［Ｃ２０］
前記構成情報は、キャリアアグリゲーションにおいて第１のセルを用いて前記複数のコンポーネントキャリアを構成することに関係し、前記少なくとも１つのコンポーネントキャリアは、プライマリコンポーネントキャリアとして構成される、
［Ｃ１３］に記載のユーザ機器。
［Ｃ２１］
前記構成情報は、キャリアアグリゲーションにおいて第１のセルを用いて前記複数のコンポーネントキャリアを構成することに関係し、前記少なくとも１つのコンポーネントキャリアは、プライマリコンポーネントキャリアとして構成されることを禁止される、
［Ｃ１３］に記載のユーザ機器。
［Ｃ２２］
前記構成情報は、キャリアアグリゲーションにおいて第１のセルグループおよび第２のセルグループ上で前記複数のコンポーネントキャリアを構成することに関係し、前記少なくとも１つのコンポーネントキャリアは、前記第１のセルグループまたは前記第２のセルグループのうちの１つのためのプライマリコンポーネントキャリアとして構成される、
［Ｃ１３］に記載のユーザ機器。
［Ｃ２３］
前記構成情報は、キャリアアグリゲーションにおいて第１のセルグループおよび第２のセルグループ上で前記複数のコンポーネントキャリアを構成することに関係し、前記少なくとも１つのコンポーネントキャリアは、前記第１のセルグループまたは前記第２のセルグループのうちの１つのためのプライマリコンポーネントキャリアとして構成されることを禁止される、
［Ｃ１３］に記載のユーザ機器。
［Ｃ２４］
前記少なくとも１つのプロセッサおよび前記メモリは、少なくとも部分的に、不連続リソース割振りが、前記少なくとも１つのコンポーネントキャリア上でサポートされるかどうかを決定することによって、前記並列送信が、前記少なくとも１つのコンポーネントキャリア上でサポートされるかどうかを決定するように動作可能である、
［Ｃ１３］に記載のユーザ機器。
［Ｃ２５］
ワイヤレスネットワークにおいて複数のコンポーネントキャリア上で通信するためのユーザ機器であって、
１つまたは複数のセルによって構成された前記複数のコンポーネントキャリアのための構成情報を取得するための手段と、
前記１つまたは複数のセルを用いて制御チャネルおよびデータチャネルの並列送信を実行するようにとのインジケーションを受信するための手段と、
前記並列送信が、前記複数のコンポーネントキャリアのうちの少なくとも１つのコンポーネントキャリア上でサポートされるかどうかを決定するための手段と、
前記並列送信を実行するようにとの前記インジケーションに少なくとも部分的に基づいて、および前記並列送信が、前記少なくとも１つのコンポーネントキャリア上でサポートされるかどうかを決定することに少なくとも部分的に基づいて、前記少なくとも１つのコンポーネントキャリア上で前記制御チャネル、前記データチャネル、またはそれらの組合せのうちの少なくとも１つを送信するための手段と
を備える、ユーザ機器。
［Ｃ２６］
前記送信するための手段は、前記並列送信が、前記少なくとも１つのコンポーネントキャリア上でサポートされないと決定することに基づいて、前記制御チャネルまたは前記データチャネルのいずれかを送信する、
［Ｃ２５］に記載のユーザ機器。
［Ｃ２７］
前記送信するための手段は、前記並列送信が、前記少なくとも１つのコンポーネントキャリア上でサポートされないと決定することに基づいて、前記データチャネルを送信し、前記データチャネル上で制御データを送信するための手段をさらに備える、
［Ｃ２５］に記載のユーザ機器。
［Ｃ２８］
ワイヤレスネットワークにおいて複数のコンポーネントキャリア上で通信するためのコンピュータ実行可能コードを備えるコンピュータ可読記憶媒体であって、前記コードは、
１つまたは複数のセルによって構成された前記複数のコンポーネントキャリアのための構成情報を取得するためのコードと、
前記１つまたは複数のセルを用いて制御チャネルおよびデータチャネルの並列送信を実行するようにとのインジケーションを受信するためのコードと、
前記並列送信が、前記複数のコンポーネントキャリアのうちの少なくとも１つのコンポーネントキャリア上でサポートされるかどうかを決定するためのコードと、
前記並列送信を実行するようにとの前記インジケーションに少なくとも部分的に基づいて、および前記並列送信が、前記少なくとも１つのコンポーネントキャリア上でサポートされるかどうかを決定することに少なくとも部分的に基づいて、前記少なくとも１つのコンポーネントキャリア上で前記制御チャネル、前記データチャネル、またはそれらの組合せのうちの少なくとも１つを送信するためのコードと
を備える、コンピュータ可読記憶媒体。
［Ｃ２９］
前記送信するためのコードは、前記並列送信が、前記少なくとも１つのコンポーネントキャリア上でサポートされないと決定することに基づいて、前記制御チャネルまたは前記データチャネルのいずれかを送信する、
［Ｃ２８］に記載のコンピュータ可読記憶媒体。
［Ｃ３０］
前記送信するためのコードは、前記並列送信が、前記少なくとも１つのコンポーネントキャリア上でサポートされないと決定することに基づいて、前記データチャネルを送信し、前記データチャネル上で制御データを送信するためのコードをさらに備える、
［Ｃ２８］に記載のコンピュータ可読記憶媒体。
【図１】
0006374105.tif 000002
【図２】
0006374105.tif 000003
【図３】
0006374105.tif 000004
【図４】
0006374105.tif 000005
【図５】
0006374105.tif 000006
【図６】
0006374105.tif 000007
【図７】
0006374105.tif 000008
【図８】
0006374105.tif 000009
【図９】
0006374105.tif 000010
【図１０】
0006374105.tif 000011
【図１１】
0006374105.tif 000012